(57)【要約】【課題】撮影者が意図しない画像データが勝手にサーバに投稿されることを防止することができる撮像装置、管理サーバおよび画像送信方法およびプログラムを提供する。【解決手段】撮像装置１００は、複数のサーバの少なくとも一部からなる画像ファイルの送信ルートのルート情報を含み、この画像ファイルに対して添付されるタグ情報を付加するタグ情報付加部１１０ｄと、タグ情報のうち少なくともルート情報を含む画像ファイルを、このルート情報にしたがって複数のサーバのいずれかに送信する通信部１０９と、を備える。【選択図】図４
2014158117.tif 000002
【特許請求の範囲】
【請求項１】
被写体を撮像することによって得られる電子的な画像データを含む画像ファイルを生成可能であるとともに、ネットワークを介して複数のサーバと通信可能である撮像装置であって、
前記複数のサーバの少なくとも一部からなる前記画像ファイルの送信ルートのルート情報を含み、前記画像ファイルに対して添付されるタグ情報を付加するタグ情報付加部と、
前記タグ情報のうち少なくとも前記ルート情報を含む前記画像ファイルを該ルート情報にしたがって前記複数のサーバのいずれかに送信する通信部と、
を備えたことを特徴とする撮像装置。
【請求項２】
前記タグ情報付加部は、前記ルート情報に応じて、当該撮像装置に対応付けられた外部機器への確認先情報を前記タグ情報として前記画像ファイルに付加することを特徴とする請求項１に記載の撮像装置。
【請求項３】
前記外部機器の確認先情報の入力を受け付ける入力部をさらに備え、
前記タグ情報付加部は、前記入力部から入力される前記確認先情報を前記タグ情報として前記画像ファイルに付加することを特徴とする請求項２に記載の撮像装置
【請求項４】
前記通信部が前記画像ファイルを前記複数のサーバのいずれかに送信する場合、前記ルート情報に基づいて、該ルート情報以外の前記タグ情報を削除するタグ情報削除部をさらに備えたことを特徴とする請求項１〜３のいずれか一つに記載の撮像装置。
【請求項５】
前記画像データに対応する画像に含まれる前記被写体の顔を検出する顔検出部と、
前記顔検出部が前記顔を検出した場合、前記被写体の肖像権に関する許諾情報の入力を受け付ける許諾情報入力部と、
前記被写体に関する生体情報を検出する生体検出部と、
をさらに備え、
前記タグ情報付加部は、前記許諾情報入力部が入力を受け付けた前記許諾情報および前記生体検出部が検出した前記生体情報を前記タグ情報として前記画像ファイルに付加することを特徴とする請求項１〜４のいずれか一つに記載の撮像装置。
【請求項６】
前記画像データに対応する画像内における所定の画素列を基準にした際の前記撮像装置から前記被写体までの距離の分布を示す距離分布情報を検出する距離分布検出部をさらに備え、
前記タグ情報付加部は、前記距離分布検出部が検出した前記距離分布情報を前記タグ情報として前記画像ファイルに付加することを特徴とする請求項１〜５のいずれか一つに記載の撮像装置。
【請求項７】
生体情報を検出する生体情報検出部をさらに備え、
前記タグ情報付加部は、当該撮像装置が前記画像データを生成した際に前記生体情報検出部が検出した前記生体情報を前記タグ情報として前記画像ファイルに付加することを特徴とする請求項１〜４のいずれか一つに記載の撮像装置。
【請求項８】
被写体を撮像することによって得られる電子的な画像データを含む画像ファイルを生成可能であるとともに、ネットワークを介して画像表示サーバと通信可能である撮像装置であって、
前記画像ファイルの送信ルートを第１のルートまたは第２のルートで前記画像表示サーバに画像表示を行わせるかを決定することによって前記画像ファイルに対して添付される撮影時の撮影タグ情報を決定する撮影条件タグ情報決定部と、
前記第１のルートまたは前記第２のルートのいずれかで前記画像ファイルを送信する通信部と、
を備えたことを特徴とする撮像装置。
【請求項９】
被写体を撮像することによって得られる電子的な画像データを含む画像ファイルを生成可能であるとともに、ネットワークを介して画像表示サーバと通信可能である撮像装置であって、
前記ネットワークを介して前記画像ファイルを送信可能な通信部と、
前記画像ファイルに対して添付される撮影時の撮影タグ情報を決定する撮影条件タグ情報決定部と、
前記画像ファイルに添付された前記撮影タグ情報に従って、前記画像ファイルの送信ルートを第１のルートまたは第２のルートのいずれかで前記画像表示サーバに前記画像ファイルを送信するかを決定する通信決定部と、
を備えたことを特徴とする撮像装置。
【請求項１０】
ネットワークを介して複数のサーバと通信可能であり、該複数のサーバのうち、被写体を撮像することによって得られる電子的な画像データを含む画像ファイルを生成可能な撮像装置と前記ネットワークを介して通信可能なサーバから送られてくる前記画像ファイルに添付されたタグ情報に基づいて該画像ファイルを管理する管理サーバであって、
前記タグ情報に含まれる情報のうち、前記撮像装置に対応付けられた外部機器の送信先情報に基づいて前記外部機器へ確認情報を送信する管理サーバ通信部と、
前記確認情報に対する確認結果として前記外部機器から送られてくる確認済情報に基づいて前記タグ情報の少なくとも一部に対する電子透かし情報を生成して前記画像ファイルに付加する電子透かし生成部と、
を備え、
前記管理サーバ通信部は、前記タグ情報に含まれ、当該管理サーバを経由する前記画像ファイルの送信ルートのルート情報に基づいて前記電子透かし情報が付加された前記画像ファイルを前記複数のサーバのいずれかに送信することを特徴とする管理サーバ。
【請求項１１】
前記管理サーバ通信部が前記画像ファイルを送信する際に前記電子透かし情報に対応する情報を前記タグ情報から削除するタグ情報削除部をさらに備えことを特徴とする請求項１０に記載の管理サーバ。
【請求項１２】
被写体を撮像することによって得られる電子的な画像データを含む画像ファイルを生成可能であるとともに、ネットワークを介して複数のサーバと通信可能である撮像装置が実行する画像送信方法であって、
前記複数のサーバの少なくとも一部からなる前記画像ファイルの送信ルートのルート情報を含み、前記画像ファイルに対して添付されるタグ情報を付加するタグ情報付加ステップと、
前記タグ情報のうち少なくとも前記ルート情報を含む前記画像ファイルを該ルート情報にしたがって前記複数のサーバのいずれかに送信する通信ステップと、
を含むことを特徴とする画像送信方法。
【請求項１３】
被写体を撮像することによって得られる電子的な画像データを含む画像ファイルを生成可能であるとともに、ネットワークを介して画像表示サーバと通信可能である撮像装置が実行する画像送信方法であって、
前記画像ファイルの送信ルートを第１のルートまたは第２のルートで画像表示を行うかを決定することによって前記画像ファイルに対して添付される撮影時の撮影タグ情報を決定する撮影条件タグ情報決定ステップと、
前記第１のルートまたは前記第２のルートのいずれかで前記画像ファイルを送信する通信ステップと、
を含むことを特徴とする画像送信方法。
【請求項１４】
被写体を撮像することによって得られる電子的な画像データを含む画像ファイルを生成可能であるとともに、ネットワークを介して画像表示サーバと通信可能である撮像装置であって、
前記画像ファイルに対して添付される撮影時の撮影タグ情報を決定する撮影条件タグ情報決定ステップと、
前記画像ファイルに添付された前記撮影タグ情報に従って、前記画像ファイルの送信ルートを第１のルートまたは第２のルートのいずれかの送信ルートで前記画像表示サーバに前記画像ファイルを送信するかを決定する通信決定ステップと、
を含むことを特徴とする画像送信方法。
【請求項１５】
ネットワークを介して複数のサーバと通信可能であり、該複数のサーバのうち、被写体を撮像することによって得られる電子的な画像データを含む画像ファイルを生成可能な撮像装置と前記ネットワークを介して通信可能なサーバから送られてくる前記画像ファイルに添付されたタグ情報に基づいて該画像ファイルを管理する管理サーバが実行する画像送信方法であって、
前記タグ情報に含まれる情報のうち、前記撮像装置に対応付けられた外部機器の送信先情報に基づいて前記外部機器へ確認情報を送信する第１送信ステップと、
前記確認情報に対する確認結果として前記外部機器から送られてくる確認済情報に基づいて前記タグ情報の少なくとも一部に対する電子透かし情報を生成して前記画像ファイルに付加する電子透かし生成ステップと、
前記タグ情報に含まれ、当該管理サーバを経由する前記画像ファイルの送信ルートのルート情報に基づいて前記電子透かし情報が付加された前記画像ファイルを前記複数のサーバのいずれかに送信する第２送信ステップと、
を含むことを特徴とする画像送信方法。
【請求項１６】
被写体を撮像することによって得られる電子的な画像データを含む画像ファイルを生成可能であるとともに、ネットワークを介して複数のサーバと通信可能である撮像装置に、
前記複数のサーバの少なくとも一部からなる前記画像ファイルの送信ルートのルート情報を含み、前記画像ファイルに対して添付されるタグ情報を付加するタグ情報付加ステップと、
前記タグ情報のうち少なくとも前記ルート情報を含む前記画像ファイルを該ルート情報にしたがって前記複数のサーバのいずれかに送信する通信ステップと、
を実行させることを特徴とするプログラム。
【請求項１７】
ネットワークを介して複数のサーバと通信可能であり、該複数のサーバのうち、被写体を撮像することによって得られる電子的な画像データを含む画像ファイルを生成可能な撮像装置と前記ネットワークを介して通信可能なサーバから送られてくる前記画像ファイルに添付されたタグ情報に基づいて該画像ファイルを管理する管理サーバに、
前記タグ情報に含まれる情報のうち、前記撮像装置に対応付けられた外部機器の送信先情報に基づいて前記外部機器へ確認情報を送信する第１送信ステップと、
前記確認情報に対する確認結果として前記外部機器から送られてくる確認済情報に基づいて前記タグ情報の少なくとも一部に対する電子透かし情報を生成して前記画像ファイルに付加する電子透かし生成ステップと、
前記タグ情報に含まれ、当該管理サーバを経由する前記画像ファイルの送信ルートのルート情報に基づいて前記電子透かし情報が付加された前記画像ファイルを前記複数のサーバのいずれかに送信する第２送信ステップと、
を実行させることを特徴とするプログラム。
【発明の詳細な説明】
【技術分野】
【０００１】
本発明は、被写体を撮像して該被写体の画像データを生成する撮像装置、撮像装置から送信された画像ファイルを管理する管理サーバ、撮像装置が実行する画像送信方法および撮像装置に実行させるプログラムに関する。
【背景技術】
【０００２】
近年、デジタルカメラ等の撮像装置において、撮影した画像データに著作権情報を付与する技術が知られている（特許文献１参照）。この技術では、撮像した画像データに、撮影者の名称、撮影者の直筆サインおよび撮影者のＩＤ等を著作権情報として付与して記録媒体に記録する。
【０００３】
ところで、近年、ＳＮＳ（Social  Networking  Service）や画像投稿サイトを利用することによって、多くの人と交流する人が増えている。たとえば、ＳＮＳを提供するサーバは、ユーザによりフォローされたアカウントからの投稿情報を、サーバによって提供される他のユーザのウェブサイトに表示する。即ち、ユーザは、他人のアカウントをフォローすることで、フォローしたアカウントにより公開された投稿情報を自身のウェブサイトに表示させる。
【先行技術文献】
【特許文献】
【０００４】
【特許文献１】特開平１１−２８４９４５号公報
【発明の概要】
【発明が解決しようとする課題】
【０００５】
ところで、上述した従来技術では、著作権情報を付加した画像データをＳＮＳのサーバに投稿することができるため、なりすましや改ざん、プライバシーなどの問題には対応できていなかった。
【０００６】
本発明は、上記に鑑みてなされたものであって、ネット上での画像表示時に、なりすましや改ざん、プライバシーなどの問題を防止することができる撮像装置、管理サーバおよび画像送信方法およびプログラムを提供することを目的とする。
【課題を解決するための手段】
【０００７】
上述した課題を解決し、目的を達成するために、本発明にかかる撮像装置は、被写体を撮像することによって得られる電子的な画像データを含む画像ファイルを生成可能であるとともに、ネットワークを介して複数のサーバと通信可能である撮像装置であって、前記複数のサーバの少なくとも一部からなる前記画像ファイルの送信ルートのルート情報を含み、前記画像ファイルに対して添付されるタグ情報を付加するタグ情報付加部と、前記タグ情報のうち少なくとも前記ルート情報を含む前記画像ファイルを該ルート情報にしたがって前記複数のサーバのいずれかに送信する通信部と、を備えたことを特徴とする。
【０００８】
また、本発明にかかる撮像装置は、上記発明において、前記タグ情報付加部は、前記ルート情報に応じて、当該撮像装置に対応付けられた外部機器への確認先情報を前記タグ情報として前記画像ファイルに付加することを特徴とする。
【０００９】
また、本発明にかかる撮像装置は、上記発明において、前記外部機器の確認先情報の入力を受け付ける入力部をさらに備え、前記タグ情報付加部は、前記入力部から入力される前記確認先情報を前記タグ情報として前記画像ファイルに付加することを特徴とする。
【００１０】
また、本発明にかかる撮像装置は、上記発明において、前記通信部が前記画像ファイルを前記複数のサーバのいずれかに送信する場合、前記ルート情報に基づいて、該ルート情報以外の前記タグ情報を削除するタグ情報削除部をさらに備えたことを特徴とする。
【００１１】
また、本発明にかかる撮像装置は、上記発明において、前記画像データに対応する画像に含まれる前記被写体の顔を検出する顔検出部と、前記顔検出部が前記顔を検出した場合、前記被写体の肖像権に関する許諾情報の入力を受け付ける許諾情報入力部と、前記被写体に関する生体情報を検出する生体検出部と、をさらに備え、前記タグ情報付加部は、前記許諾情報入力部が入力を受け付けた前記許諾情報および前記生体検出部が検出した前記生体情報を前記タグ情報として前記画像ファイルに付加することを特徴とする。
【００１２】
また、本発明にかかる撮像装置は、上記発明において、前記画像データに対応する画像内における所定の画素列を基準にした際の前記撮像装置から前記被写体までの距離の分布を示す距離分布情報を検出する距離分布検出部をさらに備え、前記タグ情報付加部は、前記距離分布検出部が検出した前記距離分布情報を前記タグ情報として前記画像ファイルに付加することを特徴とする。
【００１３】
また、本発明にかかる撮像装置は、上記発明において、生体情報を検出する生体情報検出部をさらに備え、前記タグ情報付加部は、当該撮像装置が前記画像データを生成した際に前記生体情報検出部が検出した前記生体情報を前記タグ情報として前記画像ファイルに付加することを特徴とする。
【００１４】
また、本発明にかかる撮像装置は、被写体を撮像することによって得られる電子的な画像データを含む画像ファイルを生成可能であるとともに、ネットワークを介して画像表示サーバと通信可能である撮像装置であって、前記画像ファイルの送信ルートを第１のルートまたは第２のルートで前記画像表示サーバに画像表示を行わせるかを決定することによって前記画像ファイルに対して添付される撮影時の撮影タグ情報を決定する撮影条件タグ情報決定部と、前記第１のルートまたは前記第２のルートのいずれかで前記画像ファイルを送信する通信部と、を備えたことを特徴とする。
【００１５】
また、本発明にかかる撮像装置は、被写体を撮像することによって得られる電子的な画像データを含む画像ファイルを生成可能であるとともに、ネットワークを介して画像表示サーバと通信可能である撮像装置であって、前記ネットワークを介して前記画像ファイルを送信可能な通信部と、前記画像ファイルに対して添付される撮影時の撮影タグ情報を決定する撮影条件タグ情報決定部と、前記画像ファイルに添付された前記撮影タグ情報に従って、前記画像ファイルの送信ルートを第１のルートまたは第２のルートのいずれかで前記画像表示サーバに前記画像ファイルを送信するかを決定する通信決定部と、を備えたことを特徴とする。
【００１６】
また、本発明にかかる管理サーバは、ネットワークを介して複数のサーバと通信可能であり、該複数のサーバのうち、被写体を撮像することによって得られる電子的な画像データを含む画像ファイルを生成可能な撮像装置と前記ネットワークを介して通信可能なサーバから送られてくる前記画像ファイルに添付されたタグ情報に基づいて該画像ファイルを管理する管理サーバであって、前記タグ情報に含まれる情報のうち、前記撮像装置に対応付けられた外部機器の送信先情報に基づいて前記外部機器へ確認情報を送信する管理サーバ通信部と、前記確認情報に対する確認結果として前記外部機器から送られてくる確認済情報に基づいて前記タグ情報の少なくとも一部に対する電子透かし情報を生成して前記画像ファイルに付加する電子透かし生成部と、を備え、前記管理サーバ通信部は、前記タグ情報に含まれ、当該管理サーバを経由する前記画像ファイルの送信ルートのルート情報に基づいて前記電子透かし情報が付加された前記画像ファイルを前記複数のサーバのいずれかに送信することを特徴とする。
【００１７】
また、本発明にかかる管理サーバは、上記発明において、前記管理サーバ通信部が前記画像ファイルを送信する際に前記電子透かし情報に対応する情報を前記タグ情報から削除するタグ情報削除部をさらに備えことを特徴とする。
【００１８】
また、本発明にかかる画像送信方法は、被写体を撮像することによって得られる電子的な画像データを含む画像ファイルを生成可能であるとともに、ネットワークを介して複数のサーバと通信可能である撮像装置が実行する画像送信方法であって、前記複数のサーバの少なくとも一部からなる前記画像ファイルの送信ルートのルート情報を含み、前記画像ファイルに対して添付されるタグ情報を付加するタグ情報付加ステップと、前記タグ情報のうち少なくとも前記ルート情報を含む前記画像ファイルを該ルート情報にしたがって前記複数のサーバのいずれかに送信する通信ステップと、を含むことを特徴とする。
【００１９】
また、本発明にかかる画像送信方法は、被写体を撮像することによって得られる電子的な画像データを含む画像ファイルを生成可能であるとともに、ネットワークを介して画像表示サーバと通信可能である撮像装置が実行する画像送信方法であって、前記画像ファイルの送信ルートを第１のルートまたは第２のルートで画像表示を行うかを決定することによって前記画像ファイルに対して添付される撮影時の撮影タグ情報を決定する撮影条件タグ情報決定ステップと、前記第１のルートまたは前記第２のルートのいずれかで前記画像ファイルを送信する通信ステップと、を含むことを特徴とする。
【００２０】
また、本発明にかかる画像送信方法は、被写体を撮像することによって得られる電子的な画像データを含む画像ファイルを生成可能であるとともに、ネットワークを介して画像表示サーバと通信可能である撮像装置であって、前記画像ファイルに対して添付される撮影時の撮影タグ情報を決定する撮影条件タグ情報決定ステップと、前記画像ファイルに添付された前記撮影タグ情報に従って、前記画像ファイルの送信ルートを第１のルートまたは第２のルートのいずれかの送信ルートで前記画像表示サーバに前記画像ファイルを送信するかを決定する通信決定ステップと、を含むことを特徴とする。
【００２１】
また、本発明にかかる画像送信方法は、ネットワークを介して複数のサーバと通信可能であり、該複数のサーバのうち、被写体を撮像することによって得られる電子的な画像データを含む画像ファイルを生成可能な撮像装置と前記ネットワークを介して通信可能なサーバから送られてくる前記画像ファイルに添付されたタグ情報に基づいて該画像ファイルを管理する管理サーバが実行する画像送信方法であって、前記タグ情報に含まれる情報のうち、前記撮像装置に対応付けられた外部機器の送信先情報に基づいて前記外部機器へ確認情報を送信する第１送信ステップと、前記確認情報に対する確認結果として前記外部機器から送られてくる確認済情報に基づいて前記タグ情報の少なくとも一部に対する電子透かし情報を生成して前記画像ファイルに付加する電子透かし生成ステップと、前記タグ情報に含まれ、当該管理サーバを経由する前記画像ファイルの送信ルートのルート情報に基づいて前記電子透かし情報が付加された前記画像ファイルを前記複数のサーバのいずれかに送信する第２送信ステップと、を含むことを特徴とする。
【００２２】
また、本発明にかかるプログラムは、被写体を撮像することによって得られる電子的な画像データを含む画像ファイルを生成可能であるとともに、ネットワークを介して複数のサーバと通信可能である撮像装置に、前記複数のサーバの少なくとも一部からなる前記画像ファイルの送信ルートのルート情報を含み、前記画像ファイルに対して添付されるタグ情報を付加するタグ情報付加ステップと、前記タグ情報のうち少なくとも前記ルート情報を含む前記画像ファイルを該ルート情報にしたがって前記複数のサーバのいずれかに送信する通信ステップと、を実行させることを特徴とする。
【００２３】
また、本発明にかかるプログラムは、ネットワークを介して複数のサーバと通信可能であり、該複数のサーバのうち、被写体を撮像することによって得られる電子的な画像データを含む画像ファイルを生成可能な撮像装置と前記ネットワークを介して通信可能なサーバから送られてくる前記画像ファイルに添付されたタグ情報に基づいて該画像ファイルを管理する管理サーバに、前記タグ情報に含まれる情報のうち、前記撮像装置に対応付けられた外部機器の送信先情報に基づいて前記外部機器へ確認情報を送信する第１送信ステップと、前記確認情報に対する確認結果として前記外部機器から送られてくる確認済情報に基づいて前記タグ情報の少なくとも一部に対する電子透かし情報を生成して前記画像ファイルに付加する電子透かし生成ステップと、前記タグ情報に含まれ、当該管理サーバを経由する前記画像ファイルの送信ルートのルート情報に基づいて前記電子透かし情報が付加された前記画像ファイルを前記複数のサーバのいずれかに送信する第２送信ステップと、
を実行させることを特徴とする。
【発明の効果】
【００２４】
本発明によれば、なりすましや改ざん、プライバシーなどの問題を防止することができるという効果を奏する。
【図面の簡単な説明】
【００２５】
【図１】図１は、本発明の一実施の形態にかかる画像通信システムの構成を模式的に示す概略図である。
【図２】図２は、本発明の一実施の形態にかかる被写体に面する側の構成を示す斜視図である。
【図３】図３は、本発明の一実施の形態にかかる撮影者に面する側の構成を示す斜視図である。
【図４】図４は、本発明の一実施の形態にかかる撮像装置の機能構成を示すブロック図である。
【図５】図５は、本発明の一実施の形態にかかる撮像装置の画像データ記録部が記録する画像ファイルの構成の一例を示す図である。
【図６】図６は、本発明の一実施の形態にかかる画像受付サーバの機能構成を示すブロック図である。
【図７】図７は、本発明の一実施の形態にかかる管理サーバの機能構成を示すブロック図である。
【図８】図８は、本発明の一実施の形態にかかる管理サーバの送信画像データ記録部が記録する送信画像ファイルの構成の一例を示す図である。
【図９】図９は、本発明の一実施の形態にかかる画像表示サーバの機能構成を示すブロック図である。
【図１０】図１０は、本発明の一実施の形態にかかる携帯機器の機能構成を示すブロック図である。
【図１１】図１１は、本発明の一実施の形態にかかる画像通信システムが実行する著作権放棄モードの概要を示す図である。
【図１２】図１２は、本発明の一実施の形態にかかる画像通信システムが実行する著作権保護モードの概要を示す図である。
【図１３】図１３は、本発明の一実施の形態にかかる撮像装置のより詳細な処理内容を示すフローチャートである。
【図１４】図１４は、本発明の一実施の形態にかかる撮像装置を用いて撮影者が被写体を撮影する際の状況を示す図である。
【図１５】図１５は、本発明の一実施の形態にかかる撮像装置の表示部が表示する画像の一例を示す図である。
【図１６】図１６は、本発明の一実施の形態にかかる撮像装置の距離分布検出部の距離検出方法の概要を模式的に示す図である。
【図１７】図１７は、本発明の一実施の形態にかかる撮像装置の表示部が表示する画像の一例を示す図である。
【図１８】図１８は、図１３の肖像権許諾処理の概要を示すフローチャートである。
【図１９】図１９は、被写体が肖像権を許諾する際の状況を示す図である。
【図２０】図２０は、本発明の一実施の形態にかかる撮像装置を用いて被写体が肖像権を許諾する際の状況を示す図である。
【図２１】図２１は、本発明の一実施の形態にかかる画像受付サーバのより詳細な処理内容を示すフローチャートである。
【図２２】図２２は、本発明の一実施の形態にかかる管理サーバのより詳細な処理内容を示すフローチャートである。
【図２３】図２３は、本発明の一実施の形態にかかる画像表示サーバのより詳細な処理内容を示すフローチャートである。
【図２４】図２４は、本発明の一実施の形態にかかる画像表示サーバにおいて著作権情報が追加された指定ページの画像の一例を示す図である。
【図２５】図２５は、本発明の一実施の形態にかかる画像表示サーバにおいて著作権自由の指定ページの画像の一例を示す図である。
【発明を実施するための形態】
【００２６】
以下、本発明の実施の形態（以下、「実施の形態」という）について説明する。なお、以下の形態により本発明が限定されるものではない。また、以下において、同一の構成には同一の符号を付して説明する。
【００２７】
図１は、本発明の一実施の形態にかかる画像通信システムの構成を模式的に示す概略図である。
【００２８】
図１に示す画像通信システム１は、被写体を撮像して被写体の画像データを生成し、この画像データを含む画像ファイルを、ネットワークＮを介して外部に送信する撮像装置１００と、ネットワークＮを介して撮像装置１００から送信された画像ファイルを受信するとともに、受信した画像ファイルに添付された複数のサーバの少なくとも一部からなる画像ファイルの送信ルートのルート情報のタグ情報に応じたサーバに画像ファイルを送信する画像受付サーバ２００と、撮像装置１００とネットワークを介して通信可能なサーバから送られてくる画像ファイルに添付されたタグ情報に基づいて、この画像ファイルを管理する管理サーバ３００と、ネットワークＮを介して画像受付サーバ２００または管理サーバ３００から画像ファイルを受信するとともに、後述する携帯機器５００または携帯機器６００からのアクセスに応じて画像データやコンテンツデータ等の投稿情報を送信する画像表示サーバ４００と、ネットワークＮを介して画像表示サーバ４００にアクセス可能または管理サーバ３００からの情報を受信する携帯機器５００および携帯機器６００と、を備える。また、以下においては、携帯機器５００または携帯機器６００のいずれかを示す場合、携帯機器５００として説明する。
【００２９】
まず、撮像装置１００について説明する。図２は、撮像装置１００の被写体に面する側（前面側）の構成を示す斜視図である。図３は、撮像装置１００の撮影者に面する側（背面側）の構成を示す斜視図である。図４は、撮像装置１００の機能構成を示すブロック図である。
【００３０】
図２〜図４に示す撮像装置１００は、撮像部１０１と、位置取得部１０２と、入力部１０３と、表示部１０４と、タッチパネル１０５と、時計１０６と、生体情報検出部１０７と、記録部１０８と、通信部１０９と、制御部１１０と、を備える。
【００３１】
撮像部１０１は、制御部１１０の制御のもと、被写体を撮像して被写体の画像データを生成する。撮像部１０１は、光学系１０１ａと、撮像素子１０１ｂと、信号処理部１０１ｃと、を有する。
【００３２】
光学系１０１ａは、所定の視野領域からの光を集光する。光学系１０１ａは、焦点距離を変更可能なズーム機能、焦点を調整するフォーカス機能、シャッタおよび絞り等を有する。光学系１０１ａは、制御部１１０から入力される指示信号に応じて、焦点距離の変更、焦点の調整、絞り値の変更およびシャッタースピードの設定を行う。
【００３３】
撮像素子１０１ｂは、光学系１０１ａが集光した光を受光して電気信号に変換して信号処理部１０１ｃに出力する。撮像素子１０１ｂは、ＣＣＤ（Charge  Coupled  Device）またはＣＭＯＳ（Complementary  Metal  Oxide  Semiconductor）等を用いて構成される。また、撮像素子１０１ｂは、制御部１１０から入力される指示信号に応じて、所定のフレームレート、たとえば３０ｆｐｓや６０ｆｐｓで画像データを順次生成する。
【００３４】
信号処理部１０１ｃは、撮像素子１０１ｂから出力されるアナログ信号に対してノイズ低減処理やゲインアップ処理等のアナログ処理を施してＡ／Ｄ変換を行って制御部１１０に出力する。
【００３５】
位置取得部１０２は、地上の物体の位置を測位する測定手段であるＧＰＳ（Global  Positioning  System）を構成する複数のＧＰＳ衛星から送信されてくる衛星の軌道情報を受信し、この受信した軌道情報に基づいて、撮影時や画像再生時における撮像装置１００の位置情報を取得し、この位置情報を制御部１１０に出力する。ここで、位置情報は、経度、緯度および時刻情報である。
【００３６】
入力部１０３は、撮像装置１００の電源オンや電源オフの指示信号の入力を受け付ける電源スイッチ１０３ａと、撮像装置１００に撮影を指示するレリーズ信号の入力を受け付けるレリーズスイッチ１０３ｂと、撮像装置１００の各種パラメータの設定を切り替える指示信号の入力を受け付ける操作スイッチ１０３ｃと、撮像装置１００のモードを切り替えるモード切替スイッチ１０３ｄと、を有する。また、レリーズスイッチ１０３ｂは、外部からの押圧により進退可能であり、半押しされた場合、撮像装置１００に撮影準備動作を指示するファーストレリーズ信号の入力を受け付ける一方、全押しされた場合に撮像装置１００に静止画撮影を指示するセカンドレリーズ信号の入力を受け付ける。
【００３７】
表示部１０４は、撮像部１０１が撮像した画像データに対応するライブビュー画像、画像処理部１１０ａが画像処理を施した画像データに対応する画像、記録部１０８が記録する画像データに対応する画像を表示する。表示部１０４は、液晶または有機ＥＬ（Electro  Luminescence）等からなる表示パネルを用いて構成される。ここで、画像の表示には、撮影直後の画像データを所定時間（たとえば３秒間）だけ表示するレックビュー表示、記録部１０８に記録された画像データを再生する再生表示、および撮像部１０１が連続的に生成する画像データに対応するライブビュー画像を時系列に沿って順次表示するライブビュー画像表示等が含まれる。また、表示部１０４は、撮像装置１００の操作情報および撮影に関する情報、たとえば露出値や絞り値等を適宜表示する。
【００３８】
タッチパネル１０５は、表示部１０４の表示画面上に設けられる。タッチパネル１０５は、指やタッチペンその他の外部からの物体のタッチ位置を検出し、この検出したタッチ位置に応じた位置信号を制御部１１０に出力する。また、タッチパネル１０５は、ユーザが表示部１０４で表示される情報に基づいてタッチした位置を検出し、この検出したタッチ位置に応じて撮像装置１００が行う動作を指示する指示信号の入力を受け付ける。一般に、タッチパネル１０５としては、抵抗膜方式、静電容量方式および光学方式等がある。本実施の形態では、いずれの方式のタッチパネルであっても適用可能である。なお、本実施の形態では、タッチパネル１０５が被写体の肖像権に関する許諾情報の入力を受け付ける許諾情報入力部として機能する。
【００３９】
時計１０６は、計時機能および撮像日時の判定機能を有する。時計１０６は、撮像部１０１によって撮像された画像データに日時データを付加するため、制御部１１０に日時データを出力する。
【００４０】
生体情報検出部１０７は、撮像装置１００の背面側の側面に設けられ、撮像装置１００を用いて画像データが生成された際の撮影者の生体情報を検出する。具体的には、生体情報検出部１０７は、撮影者の指紋、静脈、筋電流等の個人認証が可能な生体情報を検出する。生体情報検出部１０７は、指紋検出センサ、静脈検出センサ、筋電流センサ等の個人認証が可能な生体情報センサ等を用いて構成される。また、生体情報検出部１０７は、外部からタッチされた際の被写体の生体情報を検出する。なお、生体情報検出部１０７は、声紋、暗号、ユーザＩＤおよびパスワードのいずれかを検出してもよい。また、生体情報検出部１０７は、小型カメラで顔認証をしてもよい。つまり、生体情報検出部１０７は、撮影者の顔を撮影し、この顔の特徴点を検出する顔判定機能を有する撮像部であっても適用することができる。
【００４１】
記録部１０８は、撮像装置１００を動作させるための各種プログラムおよびプログラムの実行中に使用される各種データやパラメータ等を記録する。また、記録部１０８は、撮像装置１００が実行するプログラム記録部１０８ａと、画像データ、画像データを現像する際の画像処理情報、画像データを撮像した際の撮像情報、サムネイル画像データおよび個人認証に用いるタグ情報を対応付けた画像ファイルを記録する画像データ記録部１０８ｂと、他の画像受付サーバ２００と無線通信するために必要な撮像装置１００の識別情報（ＩＰアドレス）、識別情報に対応するパスワード、画像受付サーバ２００に画像ファイルを含むコンテンツデータを送信する際のアカウントおよび画像受付サーバ２００のＩＰアドレス等を記録する接続先情報記録部１０８ｃと、撮像装置１００の所有者を示す所有者情報および撮像装置１００に対応付けられた携帯機器５００への確認先情報を記録する個人情報記録部１０８ｄと、を有する。ここで、確認先情報とは、携帯機器５００へのメールを送信する際のメールアドレス、電話番号および携帯機器５００の所有者情報である。また、記録部１０８は、ＦｌａｓｈメモリやＤＲＡＭ（Dynamic  Random  Access  Memory）等の半導体メモリを用いて構成される。
【００４２】
ここで、画像データ記録部１０８ｂが記録する画像ファイルについて詳細に説明する。図５は、画像ファイルの構成の一例を示す図である。
【００４３】
図５に示す画像ファイルＦ１００は、画像データＦ１を格納する画像データ格納領域Ｆ１０と、Ｅｘｉｆ（Exchangeable  image  file  format）に準拠したフォーマットでヘッダ情報を格納するヘッダ情報格納領域Ｆ２０と、ネットワークＮを介して外部へ画像ファイルを送信する際の個人認証に用いるタグ情報を格納するタグ情報格納領域Ｆ３０と、を有する。
【００４４】
ヘッダ情報格納領域Ｆ２０には、サムネイル画像データＦ２１（ＪＰＥＧ形式）と、画像処理部１１０ａが画像データを現像する際の画像処理パラメータを記録する画像処理情報Ｆ２２と、画像データを撮像した際の焦点距離、絞り値、露出値、ＩＳＯ感度、ホワイトバランスおよびシャッタースピード等を記録する撮像情報Ｆ２３とが記録（格納）される。
【００４５】
タグ情報格納領域Ｆ３０には、生体情報検出部１０７が検出した生体情報Ｆ３１、位置取得部１０２が取得した位置情報Ｆ３２、時計１０６から入力された時間Ｆ３３と、画像データに対応する画像の所定の画素列の撮像装置１００から被写体までの距離の分布を示す距離分布情報Ｆ３４と、画像内の被写体の肖像権の許諾の有無を示す許諾ＩＤ情報Ｆ３５と、撮像装置１００の識別情報を示す機器識別情報Ｆ３６と、撮像装置１００の所有者の携帯機器５００の確認先情報Ｆ３７と、複数のサーバの少なくとも一部からなる画像ファイルの送信ルートのルート情報Ｆ３８と、が格納（記録）されている。このように、画像に多くのタグ情報を付与するのは、撮影者本人や身内や関係者にとっては便利な事が多いが、情報が増えるほど、プライバシーの問題が出てくる可能性があり、特に不特定多数の鑑賞者がアクセス可能なネット上へのアップロード画像に関しては、悪意を持った、あるいは無意識に権利を侵害するような人が、この情報を、権利者の想定外の活用をしてしまう危険性があった。つまり、本実施の形態にかかる撮像装置１００は、状況に応じて、このタグ情報（特に、いつどこで誰が、といった個人の行動トレースができる項目）は削除して送信する。
【００４６】
このように、図５に示すフォーマットに従って、画像ファイルＦ１００が画像データ記録部１０８ｂに記録される。
【００４７】
通信部１０９は、所定の無線通信規格に従って、画像受付サーバ２００、管理サーバ３００、画像表示サーバ４００および携帯機器５００のいずれかと無線通信を行って画像ファイルまたはコンテンツデータを画像受付サーバ２００、管理サーバ３００、画像表示サーバ４００および他の携帯機器５００のいずれかに送信する。ここで、所定の無線通信規格は、ＩＥＥＥ８０２．１１ｂおよびＩＥＥＥ８０２．１１ｎ等である。なお、本実施の形態では、いずれの無線通信規格であっても適用可能である。また、通信部１０９は、管理サーバ３００、画像表示サーバ４００および携帯機器５００のいずれかからコンテンツデータ、エラー情報、ＩＰアドレスおよびパスワード（キー情報）を受信する。ここで、エラー情報とは、画像ファイルを送信した場合において、画像ファイルのタグ情報に確認先情報が記録されていないとき、後述する画像受付サーバ２００を介して管理サーバ３００から送信された確認先情報が付加されていないことを示す情報である。また、通信部１０９は、送信する画像ファイルのタグ情報のうち少なくともルート情報を含む画像ファイルを、このルート情報にしたがって複数のサーバのいずれかに送信する。
【００４８】
また、通信部１０９は、ネットワークＮを介して管理サーバ３００、画像表示サーバ４００および携帯機器５００のいずれかと無線通信を行って画像ファイル、コンテンツデータまたは各種情報を双方向に通信を行うための通信デバイスを用いて構成される。通信デバイスは、他の機器との間で電波信号を送受信するアンテナと、アンテナが受信した信号を復調処理するとともに、送信する信号を変調処理する送受信回路等で構成される。
【００４９】
また、通信部１０９は、撮像装置１００の起動時において、その存在を報知する識別情報（機器ＩＤ）を含む通信信号を定期的に送信する。さらに、通信部１０９は、管理サーバ３００、画像表示サーバ４００および携帯機器５００のいずれかから送信された通信信号を受信して停止状態または待機状態から復帰し、管理サーバ３００、画像表示サーバ４００および携帯機器５００のいずれかとの間で通信を確立する。さらにまた、通信部１０９は、撮像装置１００のモード、たとえば、再生モードや通信モードに移行した際に停止状態または待機状態から復帰する。なお、通信部１０９は、撮像装置１００の外部から装着されるメモリカード等の記録媒体に設けられてよい。また、通信部１０９は、ホットシューを介して撮像装置１００に装着されるアクセサリに設けられていてもよい。
【００５０】
制御部１１０は、入力部１０３から入力される指示信号またはタッチパネル１０５から入力される位置信号等に応じて撮像装置１００を構成する各部に対応する指示やデータの転送等を行って撮像装置１００の動作を統括的に制御する。制御部１１０は、ＣＰＵ（Central  Processing  Unit）等を用いて構成される。
【００５１】
ここで、制御部１１０の詳細な構成について説明する。制御部１１０は、画像処理部１１０ａと、顔検出部１１０ｂと、距離分布検出部１１０ｃと、タグ情報付加部１１０ｄと、タグ情報削除部１１０ｅと、表示制御部１１０ｆと、候補化判定部１１０ｇと、を有する。
【００５２】
画像処理部１１０ａは、撮像部１０１が生成した画像データまたは記録部１０８が記録する画像データ（ＲＡＷデータ）を取得し、取得した画像データに対して各種の画像処理を施した画像データ（処理画像データ）を生成する。この画像データは、制御部１１０を介して記録部１０８に出力される。画像処理部１１０ａは、画像エンジンを用いて構成される。
【００５３】
顔検出部１１０ｂは、画像データに対応する画像に含まれる人物の顔をパターンマッチングによって検出する。具体的には、顔検出部１１０ｂは、パターンマッチングにより画像中の顔の位置を検出後、目や鼻、口等の顔の特徴の位置を検出することによって、顔の位置、顔の大きさ（サイズ）、顔の向き、顔の角度（傾き）等を検出する。また、顔検出部１１０ｂは、画像中の顔を検出した場合、目、鼻、口および顔の大きさ（サイズ）を顔の特徴点として検出する。なお、顔検出部１１０ｂは、人物の顔だけでなく、犬や猫等の顔を検出してもよい。さらに、顔検出部１１０ｂは、パターンマッチング以外の周知技術を用いて人物の顔を検出してもよい。
【００５４】
距離分布検出部１１０ｃは、画像データに対応する画像内における所定の画素列を基準とした際の撮像装置１００から被写体までの距離の分布を示す距離分布情報を検出する。具体的には、距離分布検出部１１０ｃは、複数のフォーカスポイントそれぞれの距離を検出することによって、撮像装置１００から被写体までの距離分布情報を検出する。ここで、距離分布情報は、撮像装置１００のピント合わせ時に得られる情報であってもよく、ピント位置情報であっても、相対比較情報でもよい。また、距離分布検出部１１０ｃは、正確に測定する必要もなく、遠近関係が分かるだけでもよい。距離分布検出部１１０ｃは、風景と至近がわかるだけでもよく、ポスターなどは、風景であっても、遠距離ではなく近距離と判定して検出してもよい。さらに、ピント合わせは、山登り方式や位相差方式などが一般的であるが、顔の大きさ情報やぼけ情報を利用してもよい。
【００５５】
タグ情報付加部１１０ｄは、複数のサーバの少なくとも一部からなる画像ファイルの送信ルートのルート情報を含み、この画像ファイルに対して添付されるタグ情報を付加する。具体的には、タグ情報付加部１１０ｄは、画像ファイルＦ１００に記録するタグ情報格納領域Ｆ３０に生体情報Ｆ３１と、位置情報Ｆ３２と、時間Ｆ３３と、距離分布情報Ｆ３４と、許諾ＩＤ情報Ｆ３５と、機器識別情報Ｆ３６と、確認先情報Ｆ３７と、ルート情報Ｆ３８と、を生成して画像ファイルにタグ情報として付加する。
【００５６】
タグ情報削除部１１０ｅは、通信部１０９が画像ファイルを複数のサーバのいずれかに送信する場合、画像ファイルのタグ情報のルート情報に基づいて、ルート情報以外のタグ情報を削除する。具体的には、タグ情報削除部１１０ｅは、画像ファイルＦ１００が記録するタグ情報格納領域Ｆ３０に記録された生体情報Ｆ３１と、位置情報Ｆ３２と、時間Ｆ３３と、距離分布情報Ｆ３４と、許諾ＩＤ情報Ｆ３５と、機器識別情報Ｆ３６と、確認先情報Ｆ３７と、を削除する。なお、タグ情報削除部１１０ｅは、個人が特定されるタグ情報、たとえば生体情報Ｆ３１、位置情報Ｆ３２、許諾ＩＤ情報Ｆ３５および確認先情報Ｆ３７のみを削除してもよい。これは、不特定多数の鑑賞者がアクセス可能なネット上へのアップロード画像に関しては、悪意を持った、あるいは無意識に権利を侵害するような人が、この情報を、権利者の想定外の活用をしてしまう危険性があり、状況に応じて、このタグ情報（特に、いつどこで誰が、といった個人の行動トレースができる項目）は削除して送信した方が安心である。被写体を特定できるような情報も削除した方が良い場合が多い。
【００５７】
表示制御部１１０ｆは、表示部１０４の表示態様を制御する。また、表示制御部１１０ｆは、撮像装置１００の各種情報を表示部１０４に表示させる。
【００５８】
候補化判定部１１０ｇは、顔検出部１１０ｂが画像内で検出した顔が特定の顔であるか否かを判定する。具体的には、候補化判定部１１０ｇは、顔検出部１１０ｂが検出した顔の特徴点が予め登録した撮像装置１００の所有者の家族の顔の特徴点やペットの特徴点と一致するか否かを判定する。
【００５９】
撮影条件タグ情報決定部１１０ｈは、画像ファイルの送信ルートを第１のルート（ルート１）または第２のルート（ルート２）で画像表示サーバ４００に画像表示を行わせるかを決定することによって、タグ情報付加部１１０ｄが画像ファイルに対して添付する撮影時の撮影タグ情報を決定する。ここで、撮影時の撮影タグ情報とは、生体情報Ｆ３１、位置情報Ｆ３２、時間Ｆ３３、距離分布情報Ｆ３４、許諾ＩＤ情報Ｆ３５および機器識別情報Ｆ３６である。
【００６０】
通信決定部１１０ｉは、画像ファイルに添付された撮影タグ情報に従って、画像ファイルの送信ルートを第１のルート（ルート１）または第２のルート（ルート２）のいずれかで画像表示サーバ４００に画像ファイルを送信するかを決定する。たとえば、通信決定部１１０ｉは、画像ファイルに添付された撮影タグ情報が距離分布情報Ｆ３４の場合、画像ファイルを後述する第１のルートで画像表示サーバ４００に送信することを決定し、この決定をルート情報として画像ファイルを付加する。
【００６１】
つぎに、画像受付サーバ２００の構成について説明する。図６は、画像受付サーバ２００の機能構成を示すブロック図である。
【００６２】
図６に示す画像受付サーバ２００は、通信部２０１と、画像データベース２０２と、画像受付サーバ制御部２０３と、を有する。
【００６３】
通信部２０１は、ネットワークＮを介して、撮像装置１００、管理サーバ３００、画像表示サーバ４００および携帯機器５００のいずれかと通信を行って画像ファイルやコンテンツデータを撮像装置１００、管理サーバ３００、画像表示サーバ４００および携帯機器５００のいずれかに送信する。また、通信部２０１は、撮像装置１００、管理サーバ３００、画像表示サーバ４００および携帯機器５００のいずれかと通信を行って画像ファイルの要求データ、ＩＰアドレスおよびアカウントデータ（キー情報）等を受信する。
【００６４】
画像データベース２０２は、ネットワークＮ、通信部２０１および画像受付サーバ制御部２０３を介して撮像装置１００、管理サーバ３００、画像表示サーバ４００および携帯機器５００のいずれかから受信した画像ファイルおよびコンテンツデータ等を記録する。画像データベース２０２は、ＳＤＲＡＭやハードディスクレコーダ等の記録媒体を用いて構成される。
【００６５】
画像受付サーバ制御部２０３は、ＣＰＵ等を用いて構成され、ネットワークＮおよび通信部２０１を介して撮像装置１００、管理サーバ３００、画像表示サーバ４００および携帯機器５００のいずれかから入力されるアクセス信号に応じて、画像データベース２０２に記録された画像ファイルやコンテンツデータを送信する。また、画像受付サーバ制御部２０３は、転送先設定部２０３ａを有する。
【００６６】
転送先設定部２０３ａは、ネットワークＮおよび通信部２０１を介して撮像装置１００から受信した画像ファイルＦ１００のタグ情報格納領域Ｆ３０のルート情報Ｆ３８に基づいて、送信先のサーバに画像ファイルＦ１００を送信する。具体的には、転送先設定部２０３ａは、撮像装置１００から受信した画像ファイルＦ１００に記録されたルート情報Ｆ３８がルート１の場合、画像ファイルＦ１００を画像表示サーバ４００に送信する一方、ルート情報Ｆ３８がルート２の場合、画像ファイルＦ１００を管理サーバ３００に送信する。
【００６７】
つぎに、管理サーバ３００の構成について説明する。図７は、管理サーバ３００の機能構成を示すブロック図である。
【００６８】
図７に示す管理サーバ３００は、通信部３０１と、ユーザデータベース３０２と、画像データベース３０３と、管理サーバ制御部３０４と、を有する。
【００６９】
通信部３０１は、所定の通信規格に従って、撮像装置１００、画像受付サーバ２００、画像表示サーバ４００および携帯機器５００のいずれかと通信を行って画像ファイルやコンテンツデータを受信する。また、通信部３０１は、ネットワークＮを介して受信した画像ファイルのタグ情報に含まれる情報のうち、撮像装置１００に対応付けられた外部機器としての携帯機器５００の確認先情報に基づいて携帯機器５００へ確認情報としてのタグ情報を送信する。さらに、通信部３０１は、画像ファイルのタグ情報に含まれ、管理サーバ３００を経由する画像ファイルの送信ルートのルート情報に基づいて電子透かし情報が付加された画像ファイルを撮像装置１００、画像受付サーバ２００、画像表示サーバ４００および携帯機器５００のいずれかに送信する。なお、本実施の形態では、通信部３０１がサーバ通信部として機能する。
【００７０】
ユーザデータベース３０２は、予め記録された個人認証情報を記録する。具体的には、ユーザデータベース３０２は、撮像装置１００の所有者に関する所有者情報、撮像装置１００の所有者の生体情報、肖像権者の肖像権情報、肖像権者の生体情報および所有者または肖像権者の携帯機器５００のメールアドレスや携帯番号を含む確認先情報を記録する。ユーザデータベース３０２は、ＳＤＲＡＭやハードディスクレコーダ等の記録媒体を用いて構成される。
【００７１】
画像データベース３０３は、受信した画像ファイルを記録する。画像データベース３０３は、受信画像データ記録部３０３ａと、送信画像データ記録部３０３ｂと、を有する。
【００７２】
受信画像データ記録部３０３ａは、画像受付サーバ２００から受信した画像ファイルを記録する。具体的には、受信画像データ記録部３０３ａは、ネットワークＮおよび画像受付サーバ２００を介して撮像装置１００が送信した送信時の画像ファイルを記録する。
【００７３】
送信画像データ記録部３０３ｂは、後述する管理サーバ制御部３０４によって個人認証に用いるタグ情報が電子透かし情報として画像データに付加された送信画像ファイルを記録する。このタグ情報の電子透かし化は、タグ情報そのものを電子透かし化するのみならず、タグ情報を参照できるような情報でもよく、タグ情報を暗号化して電子透かし化してもよい。電子透かしの技術としては、これらの情報を、文字コードや数字、識別子のような形に変換し、空間領域、周波数領域などに埋め込めば良い。特定色情報を持つ画素値の特定ビットに埋め込んだり、スペクトル拡散法、パッチワーク法などを適宜利用することを想定している。この電子透かしの技術を利用して、改ざん防止用の透かし情報を添付してもよい。
【００７４】
ここで、送信画像データ記録部３０３ｂが記録する送信画像ファイルについて詳細に説明する。図８は、送信画像ファイルの構成の一例を示す図である。
【００７５】
図８に示す送信画像ファイルＦ２００は、画像データＦ１を格納する画像データ格納領域Ｆ１０と、ヘッダ情報を格納する送信画像ファイルＦ２００のヘッダ情報格納領域Ｆ２０と、ネットワークＮを介して外部へ画像ファイルを送信する際の個人認証に用いるタグ情報を格納するタグ情報格納領域Ｆ３０と、を有する。
【００７６】
ヘッダ情報格納領域Ｆ２０には、Ｅｘｉｆに準拠したフォーマットで、サムネイル画像データＦ２１と、画像処理情報Ｆ２２と、撮像情報Ｆ２３とが記録（格納）される。
【００７７】
タグ情報格納領域Ｆ３０には、生体情報Ｆ３１、位置情報Ｆ３２、時間Ｆ３３と、距離分布情報Ｆ３４と、許諾ＩＤ情報Ｆ３５と、機器識別情報Ｆ３６と、確認先情報Ｆ３７と、ルート情報Ｆ３８と、画像ファイルを送信した送信者を識別する送信者ＩＤ情報Ｆ３９と、が格納（記録）されている。
【００７８】
このように、図８に示すフォーマットに従って、送信画像ファイルＦ２００が送信画像データ記録部３０３ｂに記録される。
【００７９】
管理サーバ制御部３０４は、ＣＰＵ等を用いて構成され、ネットワークＮおよび通信部３０１を介して撮像装置１００、画像受付サーバ２００、画像表示サーバ４００および携帯機器５００のいずれかから入力されるアクセス信号に応じて、画像データベース３０３に記録された送信画像ファイルを送信する。また、管理サーバ制御部３０４は、個人情報設定部３０４ａと、個人情報判定部３０４ｂと、電子透かし生成部３０４ｃと、画像検索部３０４ｄと、タグ情報削除部３０４ｅと、を有する。
【００８０】
個人情報設定部３０４ａは、ネットワークＮおよび通信部３０１を介して受信した画像ファイルに含まれるタグ情報をユーザデータベースに記録する。
【００８１】
個人情報判定部３０４ｂは、ネットワークＮを介して携帯機器５００から受信したタグ情報を選択した選択情報と受信した画像ファイルに含まれる個人認証用のタグ情報とが一致するか否かを判定する。また、個人情報判定部３０４ｂは、ネットワークＮおよび通信部３０１を介して受信した画像ファイルに含まれるタグ情報とユーザデータベース３０２に記録された所有者情報、撮像装置１００の所有者の生体情報、肖像権者の肖像権情報および肖像権者の生体情報を含む個人認証情報とが一致するか否かを判定する。
【００８２】
電子透かし生成部３０４ｃは、個人情報判定部３０４ｂが携帯機器５００から受信した選択情報と受信した画像ファイルに含まれるタグ情報とが一致すると判定した場合、選択情報に応じたタグ情報を画像データに電子透かし情報として付加する。
【００８３】
画像検索部３０４ｄは、ネットワークＮを介して携帯機器５００から受信したモデル画像を用いてネットワークＮ上に存在する類似画像を検索し、検索した類似画像が存在する場合、この類似画像を管理するサーバに類似画像を削除する削除指示信号を送信する。
【００８４】
タグ情報削除部３０４ｅは、通信部３０１が画像ファイルを送信する際に画像ファイルのタグ情報を削除する。具体的には、タグ情報削除部３０４ｅは、送信画像ファイルＦ２００のタグ情報格納領域Ｆ３０から生体情報Ｆ３１、位置情報Ｆ３２、許諾ＩＤ情報Ｆ３５、機器識別情報Ｆ３６、確認先情報Ｆ３７および送信者ＩＤ情報Ｆ３９を削除する。また、タグ情報削除部３０４ｅは、電子透かし生成部３０４ｃが画像データに電子透かし情報として付加したタグ情報のみを送信画像ファイルＦ２００のタグ情報格納領域Ｆ３０から削除してもよい。
【００８５】
つぎに、画像表示サーバ４００について説明する。図９は、画像表示サーバ４００の機能構成を示すブロック図である。
【００８６】
図９に示す画像表示サーバ４００は、通信部４０１と、画像データベース４０２と、画像表示サーバ制御部４０３と、を有する。
【００８７】
通信部４０１は、所定の通信規格に従って、撮像装置１００、画像受付サーバ２００、管理サーバ３００および携帯機器５００のいずれかと通信を行って画像ファイルやコンテンツデータを受信する。また、通信部４０１は、ネットワークＮを介して画像ファイルやコンテンツデータを撮像装置１００、画像受付サーバ２００、管理サーバ３００および携帯機器５００のいずれかに送信する。
【００８８】
画像データベース４０２は、ネットワークＮおよび通信部４０１を介して画像受付サーバ２００または管理サーバ３００から受信した画像ファイルを記録する。画像データベース４０２は、ＳＤＲＡＭやハードディスクレコーダ等の記録媒体を用いて構成される。
【００８９】
画像表示サーバ制御部４０３は、ＣＰＵ等を用いて構成され、ネットワークＮおよび通信部４０１を介して撮像装置１００、画像受付サーバ２００、管理サーバ３００および携帯機器５００のいずれかから入力されるアクセス信号に応じて、ブラウザの指定ページ（画像ファイル）を送信する。
【００９０】
ここで、画像表示サーバ制御部４０３の詳細な構成について説明する。画像表示サーバ制御部４０３は、著作権情報追加部４０３ａと、画像データ削除部４０３ｂと、アクセス判定部４０３ｃと、表示制御部４０３ｄと、を有する。
【００９１】
著作権情報追加部４０３ａは、ネットワークＮおよび通信部４０１を介して管理サーバ３００から受信した画像ファイルに著作権情報が含まれている場合、画像データベース４０２に複製を禁止する禁止情報を画像ファイルに著作権情報として追加する。
【００９２】
アクセス判定部４０３ｃは、ネットワークＮおよび通信部４０１を介してアクセス信号を受信した機器を判定する。たとえば、アクセス判定部４０３ｃは、画像受付サーバ２００、管理サーバ３００または携帯機器５００からアクセスがあったか否かを判定する。
【００９３】
画像データ削除部４０３ｂは、ネットワークＮおよび通信部４０１を介して管理サーバ３００から画像ファイルを削除する削除信号を受信した場合、削除信号が指示する画像ファイルを画像データベース４０２から削除する。
【００９４】
表示制御部４０３ｄは、ネットワークＮおよび通信部４０１を介して撮像装置１００、画像受付サーバ２００、管理サーバ３００および携帯機器５００のいずれかから入力されるアクセス信号に応じて、指定されたブラウザの指定ページの表示態様を制御する。たとえば、表示制御部４０３ｄは、指定された指定ページの画像ファイルの画像データに対応する画像を表示する。さらに、表示制御部４０３ｄは、指定ページの画像ファイルに禁止情報が含まれている場合、画像上に複製を禁止する情報を重畳して表示させる。
【００９５】
つぎに、携帯機器５００について説明する。図１０は、携帯機器５００の機能構成を示すブロック図である。なお、携帯機器５００は、撮像装置１００と同じ持ち主であれば、自分の撮像装置（カメラ）が、どのように使われたかを認識する権利があると考えてもよい。この場合は、同じ持ち主で、撮像装置１００と携帯機器５００とが関連づけられて登録されているとする。もちろん、貸し出し用の撮像装置であれば、貸し出した先のプライバシーまでを知る権利はない場合もあるので、貸し出した先の携帯機器を、ここでの携帯機器５００として登録できるようにしても良い。
【００９６】
図１０に示す携帯機器５００は、通信部５０１と、表示部５０２と、タッチパネル５０３と、操作部５０４と、記録部５０５と、携帯機器制御部５０６と、を有する。
【００９７】
通信部５０１は、所定の通信規格に従って、撮像装置１００、画像受付サーバ２００、画像表示サーバ４００および画像表示サーバ４００のいずれかと通信を行って画像ファイルやコンテンツデータを受信する。また、通信部５０１は、ネットワークＮを介して画像ファイルやコンテンツデータを撮像装置１００、画像受付サーバ２００、画像表示サーバ４００および画像表示サーバ４００のいずれかに送信する。さらに、通信部５０１は、管理サーバ３００から個人認証に用いるタグ情報の一覧を受信する。
【００９８】
表示部５０２は、画像データに対応する画像を表示する。表示部５０２は、液晶または有機ＥＬ等からなる表示パネルを用いて構成される。また、表示部５０２は、通信部５０１が受信したタグ情報の一覧を表示する。具体的には、表示部５０２は、携帯機器５００と対応付けられた撮像装置１００の所有者の所有者情報、たとえば携帯機器５００のメールアドレス情報や携帯番号情報、撮像装置１００の所有者情報および肖像権情報等を表示する。さらに、表示部５０２は、ネットワークＮおよび通信部５０１を介して画像表示サーバ制御部４０３にアクセスした際に指定した指定ページの画像を表示する。
【００９９】
タッチパネル５０３は、表示部５０２の表示画面上に設けられる。タッチパネル５０３は、外部からの指やタッチペンその他の物体のタッチを検出し、この検出したタッチ位置に応じた位置信号を携帯機器制御部５０６に出力する。また、タッチパネル５０３は、ユーザが表示部５０２で表示される情報に基づいてタッチした位置を検出し、この検出したタッチ位置に応じて携帯機器５００が行う動作を指示する指示信号の入力を受け付ける。
【０１００】
操作部５０４は、携帯機器５００の各種パラメータや個人認証情報を選択する選択信号の入力を受け付ける。
【０１０１】
記録部５０５は、画像データや携帯機器５００が実行する各種プログラムを記録する。記録部５０５は、ＦｌａｓｈメモリやＤＲＡＭ等の半導体メモリを用いて構成される。
【０１０２】
携帯機器制御部５０６は、ＣＰＵ等を用いて構成され、タッチパネル５０３から入力される位置信号または操作部５０４から入力される指示信号に応じて携帯機器５００を構成する各部に対応する指示やデータの転送等を行って携帯機器５００の動作を統括的に制御する。また、携帯機器制御部５０６は、タッチパネル５０３から入力された位置信号に応じて選択されたタグ情報を、通信部５０１およびネットワークＮを介して管理サーバ３００に送信する。もちろん、ユーザは、携帯機器５００で、撮影時の撮影タグ情報を、ユーザの記憶によって補うようにしても良い。例えば、ユーザは、携帯機器５００を用いることにより、地図情報で、観光地名までしか入っていなかったタグ情報を観光地にある施設の名前まで特定したり、「おばあちゃんの家」といった、そのユーザ特有の関係を表した情報に変換してもよい。これは日時情報でも同様のことが言え、「誕生日」や「結婚記念日」とか、一般化できない情報に置き換える等の工夫を行えるようにしてもよい。このように個人情報化を進めていくと、ますます個人情報流出のリスクが高まるので、暗号化や電子透かし化の技術が重要になる。
【０１０３】
なお、携帯機器６００は、上述した携帯機器５００と同一の構成を有するため、携帯機器６００の構成の説明は省略する。
【０１０４】
以上のように構成された画像通信システム１は、撮像装置１００が生成した画像データを含む画像ファイルの著作権を放棄（著作権フリー）する著作権放棄モードと著作権を保護する著作権保護モードとを行うことができる。さらに、画像通信システム１または撮像装置１００は、著作権放棄モードまたは著作権保護モードの切り替えによって、画像ファイルの送信ルートを切り替えてもよい。なお、以下においては、まず、画像通信システム１が実行する撮像装置１００によって生成された画像ファイルの著作権を放棄する著作権放棄モードを説明後、著作権保護モードについて説明する。
【０１０５】
図１１は、画像通信システム１が実行する著作権放棄モードの概要を示す図である。
【０１０６】
図１１において、まず、撮像装置１００は、ネットワークＮを介してルート情報（ルート１）以外のタグ情報を削除するとともに、画像受付サーバ２００を経由して画像表示サーバ４００に画像ファイルを画像受付サーバ２００に送信する（ステップＳ１）（ルート１）。
【０１０７】
撮像装置１００から画像ファイルを受信した画像受付サーバ２００は、画像ファイルに含まれるルート情報に応じて画像ファイルを画像表示サーバ４００に送信する（ステップＳ２）。その後、画像表示サーバ４００は、画像受付サーバ２００から受信した画像ファイルを画像データベース４０２に記録する。これにより、ユーザが、携帯機器６００を用いて画像表示サーバ４００にアクセスして指定ページの画像を閲覧後、この画像を選択した場合、画像ファイルの著作権が放棄（著作権フリー）されているため、選択した画像の画像データを携帯機器６００によって取得することで自由に複製することができる。ただし、このような画像は、何の情報もなく、無責任に投稿された権利侵害画像であったり、撮影された画像から個人に不利益を生じる不適当な画像であったりする可能性が否定できないので、一方的な削除措置に対しても文句を言うことが難しい。
【０１０８】
このように、画像通信システム１の著作権放棄モードにおいては、撮像装置１００が送信した画像ファイルのタグ情報を削除して画像受付サーバ２００を経由して画像表示サーバ４００に送信することにより、著作権が放棄された画像ファイルを画像表示サーバ４００に送信（投稿）することができる。さらに、撮像装置１００は、画像受付サーバ２００に画像ファイルを送信する際にタグ情報を削除して送信するので、画像表示サーバ４００の指定ページで他のユーザに閲覧された場合であっても、私的な情報が漏洩することを防止することができる。
【０１０９】
つぎに、画像通信システム１が実行する撮像装置１００によって生成された画像ファイルの著作権を保護する著作権保護モードについて説明する。図１２は、画像通信システム１が実行する著作権保護モードの概要を示す図である。
【０１１０】
図１２に示すように、まず、撮像装置１００は、ネットワークＮを介してタグ情報を付加した画像ファイルを画像受付サーバ２００に送信する（ステップＳ１０）。このタグ情報には、画像受付サーバ２００および管理サーバ３００を経由して画像表示サーバ４００に画像ファイルを送信するルート情報（ルート２）および撮像装置１００に対応付けられた携帯機器５００の送信先情報としての確認先情報が含まれる。
【０１１１】
タグ情報が付加された画像ファイルを受信した画像受付サーバ２００は、画像ファイルのタグ情報のルート情報に応じて画像ファイルを管理サーバ３００に送信する（ステップＳ１１）。
【０１１２】
画像受付サーバ２００から画像ファイルを受信した管理サーバ３００は、タグ情報の確認先情報に対応する携帯機器５００に対して、個人認証に用いるタグ情報の一覧を確認情報としてメールで送信する（ステップＳ１２）。具体的には、管理サーバ３００は、タグ情報のアドレス情報に対応する携帯機器５００に対して、たとえば確認情報として、タグ情報の所有者情報、生体情報、位置情報、著作権情報および肖像権情報のいずれか一つ以上をメールで送信する。ここでの携帯機器は、パーソナルユースで、通信機能を有する情報端末であれば何でもよい。
【０１１３】
確認済情報としてのタグ情報の一覧を受信した携帯機器５００は、タッチパネル５０３から入力される位置信号で選択されたタグ情報を管理サーバ３００に送信する（ステップＳ１３）。この場合、携帯機器５００は、１以上のタグ情報を管理サーバ３００に送信する。
【０１１４】
携帯機器５００からタグ情報を受信した管理サーバ３００は、携帯機器５００で選択されたタグ情報の電子透かし情報を生成し、この電子透かし情報を画像データに付加するとともに、電子透かし情報に対応するタグ情報を画像ファイルから削除する（ステップＳ１４）。
【０１１５】
続いて、管理サーバ３００は、画像データにタグ情報の電子透かし情報を付加した画像ファイルを画像表示サーバ４００に送信する（ステップＳ１５）（ルート２）。その後、画像表示サーバ４００は、管理サーバ３００から受信した画像ファイルを画像データベース４０２に記録する。これにより、ユーザが、携帯機器６００を用いて画像表示サーバ４００にアクセスして指定ページの画像を閲覧後、この画像を選択した場合、画像ファイルの著作権で複製が禁止されているため、選択した画像の画像データを携帯機器６００によって取得することができない。
【０１１６】
このように、画像通信システム１の著作権保護モードにおいては、撮像装置１００が送信した画像ファイルのタグ情報のルート情報に応じて、画像受付サーバ２００および管理サーバ３００を経由して画像表示サーバ４００に画像ファイルを送信する。これにより、著作権を保護した状態で画像ファイルを画像表示サーバ４００に送信することができる。
【０１１７】
さらに、撮像装置１００の所有者以外の撮影者、たとえば所有者のアシスタントが撮像装置１００を用いて撮影した場合であっても、撮像装置１００の所有者が個人認証に用いるタグ情報を選択して承認することにより、画像ファイルの著作権を保護した状態で画像表示サーバ４００に画像ファイルを送信することができる。
【０１１８】
さらにまた、管理サーバ３００は、携帯機器５００で選択されたタグ情報の電子透かし情報を生成し、この電子透かし情報を含むタグ情報を削除した画像ファイルを画像表示サーバ４００に送信するので、画像表示サーバ４００の指定ページで他のユーザに閲覧された場合であっても、私的な情報が漏洩することを防止することができる。
【０１１９】
なお、上述したモードの切り替えによって、画像ファイルの送信ルートを切り替えてもよく、撮影条件タグ情報決定部１１０ｈが画像ファイルの送信ルートを第１のルート（たとえば図１１のルート１）または第２のルート（たとえば図１２のルート２）で画像表示サーバ４００に画像表示を行わせるかを決定することによって画像ファイルに対して添付される撮影時の撮影タグ情報を決定し、通信部１０９がネットワークＮを介して第１または第２のいずれかのルートで画像表示サーバ４００に画像ファイルを送信してもよい。
【０１２０】
また、考え方を変えて、ネット上で表示する画像に添付するタグ情報を先に決められるようにして、画像ファイルを生成するとともに、ネットワークＮを介して画像表示サーバ４００と通信を行ってもよい。この場合、撮影条件タグ情報決定部１１０ｈが画像ファイルに対して添付される撮影時の撮影タグ情報を決定し、通信決定部１１０ｉが画像ファイルに添付された撮影タグ情報に従って、画像ファイルの送信ルートを第１のルート（たとえば図１１のルート１）または第２のルート（たとえば図１２のルート２）のいずれかで画像表示サーバ４００に画像ファイルを送信するかを決定して通信部１０９に画像ファイルを送信させてもよい。
【０１２１】
以下、図１１および図１２で説明した撮像装置１００、画像受付サーバ２００、管理サーバ３００および画像表示サーバ４００それぞれの処理をより詳細に説明する。
【０１２２】
まず、撮像装置１００のより詳細な処理内容について説明する。図１３は、撮像装置１００のより詳細な処理内容を示すフローチャートである。
【０１２３】
図１３に示すように、まず、撮像装置１００が撮影モードに設定されている場合（ステップＳ１０１：Ｙｅｓ）、制御部１１０は、撮像部１０１が生成した画像データに対応するライブビュー画像を表示部１０４に表示させる（ステップＳ１０２）。この場合、図１４に示すように、撮影者Ｋ１は、撮像装置１００の表示部１０４で表示されるライブビュー画像Ｗ１を確認することによって、被写体Ｐ１に対する構図や撮影条件、たとえば絞り値、露出値、ＩＳＯ感度、ホワイトバランス、ピント位置、シャッタースピードおよび階調のいずれかを操作スイッチ１０３ｃによって調整しながら撮影を行う。
【０１２４】
続いて、顔検出部１１０ｂがライブビュー画像Ｗ１で顔を検出した場合（ステップＳ１０３：Ｙｅｓ）、タグ情報付加部１１０ｄは、顔検出部１１０ｂが検出した顔の特徴点を取得する（ステップＳ１０４）。具体的には、図１５に示すように、タグ情報付加部１１０ｄは、顔検出部１１０ｂがライブビュー画像Ｗ１で顔を検出した場合、検出した顔の特徴点を取得する。この際、表示制御部１１０ｆは、顔検出部１１０ｂが検出した顔を含む顔領域に対応するフレームＦ１をライブビュー画像Ｗ１に重畳して表示部１０４に表示させる。ステップＳ１０４の後、撮像装置１００は、ステップＳ１０５へ移行する。
【０１２５】
ステップＳ１０３において、顔検出部１１０ｂがライブビュー画像Ｗ１で顔を検出していない場合（ステップＳ１０３：Ｎｏ）、撮像装置１００は、ステップＳ１０５へ移行する。
【０１２６】
続いて、タグ情報付加部１１０ｄは、時計１０６から時間を取得し（ステップＳ１０５）、位置取得部１０２から位置情報を取得する（ステップＳ１０６）。
【０１２７】
その後、タグ情報付加部１１０ｄは、生体情報検出部１０７が検出した撮影者の生体情報を取得する（ステップＳ１０７）。具体的には、図１５に示すように、タグ情報付加部１１０ｄは、撮影者が生体情報検出部１０７をタッチした際に生体情報検出部１０７が検出した撮影者の生体情報を取得する。ここで、撮影した瞬間に撮影者を特定することが非常に著作権管理上、重要である一方で、この情報はプライバシーに密接に関連する可能性が高いので、強固なプライバシー保護が必要な情報である。しかし、この段階で、撮像装置１００等のモバイル、携帯機器で、この情報を完全に保護することは困難で、このような技術の最新版を常にインストールしておくことも困難であった。そこで、本発明では、外部送信時に最適な環境で最適な技術を利用して、この個人情報（プライバシー情報）を保護できるようにした。著作権と個人情報が表裏一体の関係にあることが問題であり、本発明はその点に留意したものとなっている。
【０１２８】
レリーズスイッチ１０３ｂが操作されることにより、撮影操作があった場合（ステップＳ１０８：Ｙｅｓ）、距離分布検出部１１０ｃは、ライブビュー画像Ｗ１の所定の水平方向の１ライン上を基準にした際の撮像装置１００から被写体までの距離の分布を示す距離分布情報を検出する（ステップＳ１０９）。
【０１２９】
図１６は、距離分布検出部１１０ｃの距離検出方法の概要を模式的に示す図である。図１６（ｂ）において、縦軸が撮像装置１００から被写体までの距離を示し、横軸が画像の１ライン（直線Ｌ１０）における各画素の位置を示す。
【０１３０】
図１６に示すように、距離分布検出部１１０ｃは、ライブビュー画像Ｗ１の所定の水平方向の１ライン、たとえば顔検出部１１０ｂによって検出された顔領域に対応するフレームＦ１を含む１ライン（画素列）を走査することによって撮像装置１００から被写体までの距離分布を検出する。具体的には、図１６（ａ）に示すように、距離分布検出部１１０ｃは、ライブビュー画像Ｗ１上におけるラインＬ１０を走査することによって、撮像装置１００から被写体までの距離分布情報Ｌ１１（図１６（ｂ））を検出する。
【０１３１】
ステップＳ１１０において、制御部１１０は、撮像装置１００の撮影を実行する。具体的には、撮像部１０１を駆動することによって撮像部１０１が出力した画像データ（ＲＡＷデータ）に対して、所定の画像処理を施す動作をいう。このように画像処理が施された画像データは、記録部１０８の画像データ記録に記録される。
【０１３２】
続いて、タグ情報付加部１１０ｄは、画像データにタグ情報を対応付けて画像ファイルに記録する（ステップＳ１１１）。
【０１３３】
その後、表示制御部１１０ｆは、撮影した画像データに対応する画像を表示部１０４に表示させる（ステップＳ１１２）。
【０１３４】
続いて、表示部１０４が画像を表示してから所定時間、たとえば３秒経過した場合（ステップＳ１１３：Ｙｅｓ）、撮像装置１００は、ステップＳ１１４へ移行する。これに対して、表示部１０４が画像を表示してから所定時間経過していない場合（ステップＳ１１３：Ｎｏ）、撮像装置１００は、ステップＳ１１２へ戻る。
【０１３５】
ステップＳ１１４において、表示制御部１１０ｆは、表示部１０４による画像の表示を終了する（ステップＳ１１４）。
【０１３６】
続いて、撮像装置１００の電源がオフ状態になった場合（ステップＳ１１５：Ｙｅｓ）、撮像装置１００は、本処理を終了する。これに対して、撮像装置１００の電源がオフ状態になっていない場合（ステップＳ１１５：Ｎｏ）、撮像装置１００は、ステップＳ１０１へ戻る。
【０１３７】
ステップＳ１０８において、撮影操作がない場合（ステップＳ１０８：Ｎｏ）、撮像装置１００は、ステップＳ１０１へ戻る。
【０１３８】
ステップＳ１０１において、撮像装置１００が撮影モードに設定されていない場合（ステップＳ１０１：Ｎｏ）において、再生モードが設定されているとき（ステップＳ１１６：Ｙｅｓ）、表示制御部１１０ｆは、画像データ記録部１０８ｂが記録する画像データの一覧を表示部１０４に表示させる（ステップＳ１１７）。
【０１３９】
続いて、タッチパネル１０５または入力部１０３を介して表示部１０４が表示する画像が選択された場合（ステップＳ１１８：Ｙｅｓ）、表示制御部１１０ｆは、選択された画像を表示部１０４に全画面表示させる（ステップＳ１１９）。
【０１４０】
その後、タッチパネル１０５または入力部１０３を介して画像を変更する場合（ステップＳ１２０：Ｙｅｓ）、撮像装置１００は、ステップＳ１１９へ戻る。これに対して、タッチパネル１０５または入力部１０３を介して画像を変更しない場合（ステップＳ１２０：Ｎｏ）、撮像装置１００は、ステップＳ１２１へ移行する。
【０１４１】
ステップＳ１１８において、タッチパネル１０５または入力部１０３を介して表示部１０４が表示する画像が選択されていない場合（ステップＳ１１８：Ｎｏ）、撮像装置１００は、ステップＳ１２１へ移行する。
【０１４２】
続いて、撮像装置１００が再生モードを終了する場合（ステップＳ１２１：Ｙｅｓ）、撮像装置１００は、ステップＳ１１６へ戻る。これに対して、撮像装置１００が再生モードを終了しない場合（ステップＳ１２１：Ｎｏ）、撮像装置１００は、ステップＳ１２２へ移行する。
【０１４３】
ステップＳ１２２において、表示部１０４が表示する画像の画像ファイルを画像表示サーバ４００に投稿する指示信号の入力を受け付ける画像投稿アイコン（図示せず）が操作された場合（ステップＳ１２２：Ｙｅｓ）、撮像装置１００は、後述するステップＳ１２３へ移行する。これに対して、表示部１０４が表示する画像データの画像ファイルを画像表示サーバ４００に投稿する指示信号の入力を受け付ける画像投稿アイコンが操作されていない場合（ステップＳ１２２：Ｎｏ）、撮像装置１００は、ステップＳ１１８へ戻る。
【０１４４】
ステップＳ１２３において、制御部１１０は、撮像装置１００に権利放棄モードが設定されているか否かを判断する（ステップＳ１２３）。具体的には、制御部１１０は、表示部１０４が表示する画像上における著作権を放棄する指示信号の入力を受け付けるアイコン（図示せず）がタッチパネル１０５を介して操作されたか否かを判断する。制御部１１０が撮像装置１００に権利破棄モードが設定されていると判断した場合（ステップＳ１２３：Ｙｅｓ）、撮像装置１００は、後述するステップＳ１２４へ移行する。これに対して、制御部１１０が撮像装置１００に権利放棄モードが設定されていないと判断した場合（ステップＳ１２３：Ｎｏ）、撮像装置１００は、後述するステップＳ１２６へ移行する。
【０１４５】
ステップＳ１２４において、タグ情報削除部１１０ｅは、送信する画像ファイルに記録されたルート情報以外のタグ情報を削除する。なお、タグ情報削除部１１０ｅは、ルート情報に応じて、削除するタグ情報を変更してもよい。たとえば、タグ情報削除部１１０ｅは、タグ情報の生体情報、位置情報および確認先情報のみを削除してもよい。
【０１４６】
続いて、通信部１０９は、ネットワークＮを介してタグ情報削除部１１０ｅによってルート情報以外のタグ情報を削除された画像ファイルを画像受付サーバ２００に送信する（ステップＳ１２５）。この場合、図１７に示すように、表示制御部１１０ｆは、表示部１０４が表示する画像Ｗ１に関して著作権を放棄した旨の情報（メッセージ）を表示部１０４に表示させてもよい。これにより、撮影者は、撮影した画像の著作権を放棄したことを直感的に把握することができる。ステップＳ１２５の後、撮像装置１００は、ステップＳ１１５へ移行する。
【０１４７】
ステップＳ１２６において、顔検出部１１０ｂが画像内で顔を検出した場合（ステップＳ１２６：Ｙｅｓ）、撮像装置１００は、画像内の顔に対して肖像権の許諾の有無情報を添付する肖像権許諾処理を実行する（ステップＳ１２７）。
【０１４８】
図１８は、図１３のステップＳ１２７の肖像権許諾処理の概要を示すフローチャートである。
【０１４９】
図１８に示すように、候補化判定部１１０ｇは、顔検出部１１０ｂが画像内で検出した顔が特定の顔であるか否かを判定する（ステップＳ２０１）。具体的には、候補化判定部１１０ｇは、顔検出部１１０ｂが検出した顔の特徴点が予め登録した撮像装置１００の所有者の家族の顔の特徴点やペットの特徴点と一致するか否かを判定する。候補化判定部１１０ｇが顔検出部１１０ｂによって画像内で検出された顔が特定の顔であると判定した場合（ステップＳ２０１：Ｙｅｓ）、撮像装置１００は、後述するステップＳ２０２へ移行する。これに対して、候補化判定部１１０ｇが顔検出部１１０ｂによって画像内で検出された顔が特定の顔でないと判定した場合（ステップＳ２０１：Ｎｏ）、撮像装置１００は、後述するステップＳ２０３へ移行する。
【０１５０】
ステップＳ２０２において、タグ情報付加部１１０ｄは、画像内の顔（被写体）が肖像権フリー（肖像権放棄）であることを示すタグ情報を画像ファイルのタグ情報に付加する。ステップＳ２０２の後、撮像装置１００は、図１３のメインルーチンへ戻る。
【０１５１】
ステップＳ２０３において、表示部１０４が表示する画像内の顔がタッチされた場合（ステップＳ２０３：Ｙｅｓ）において、生体情報検出部１０７が生体情報を検出したとき（ステップＳ２０４：Ｙｅｓ）、タグ情報付加部１１０ｄは、表示部１０４が表示する画像内でタッチされた顔の特徴点および生体情報検出部１０７が検出した生体情報をタグ情報として付加する（ステップＳ２０５）。具体的には、図１９および図２０（ａ）に示すように、タグ情報付加部１１０ｄは、被写体Ｐ１が表示部１０４によって表示された画像Ｗ１内で自分の顔領域Ｆ１をタッチした場合、このタッチした顔の顔領域Ｆ１の特徴点を生体情報として肖像権の許諾ＩＤのタグ情報に付加する。さらに、図２０（ｂ）に示すように、タグ情報付加部１１０ｄは、被写体Ｐ１が生体情報検出部１０７をタッチした際に、生体情報検出部１０７が検出した生体情報をタグ情報として付加する。ステップＳ２０５の後、撮像装置１００は、図１３のメインルーチンへ戻る。
【０１５２】
ステップＳ２０４において、生体情報検出部１０７が被写体Ｐ１の生体情報を検出していない場合（ステップＳ２０４：Ｎｏ）、タグ情報付加部１１０ｄは、被写体の肖像権の未確定を示す未確定情報をタグ情報に付加する（ステップＳ２０６）。ステップＳ２０６の後、撮像装置１００は、図１３のメインルーチンへ戻る。
【０１５３】
ステップＳ２０３において、表示部１０４が表示する画像内の顔がタッチされていない場合（ステップＳ２０３：Ｎｏ）において、所定時間、たとえば５秒経過したとき（ステップＳ２０７：Ｙｅｓ）、撮像装置１００は、図１３のメインルーチンへ戻る。
【０１５４】
ステップＳ２０３において、表示部１０４が表示する画像内の顔がタッチされていない場合（ステップＳ２０３：Ｎｏ）において、所定時間経過していないとき（ステップＳ２０７：Ｎｏ）、撮像装置１００は、ステップＳ２０３へ戻る。
【０１５５】
図１３に戻り、ステップＳ１２８以降の説明を続ける。ステップＳ１２８において、通信部１０９は、タグ情報が付加された画像ファイルを画像受付サーバ２００に送信する。ステップＳ１２８の後、撮像装置１００は、ステップＳ１１５へ移行する。
【０１５６】
ステップＳ１０１において、撮像装置１００が撮影モードに設定されておらず（ステップＳ１０１：Ｎｏ）、かつ、撮像装置１００が再生モードに設定されていない場合（ステップＳ１１６：Ｎｏ）において、撮像装置１００が通信先設定モードに設定されているとき（ステップＳ１２９：Ｙｅｓ）、タグ情報付加部１１０ｄは、タッチパネル１０５または入力部１０３から入力される指示信号に応じて、撮像装置１００の所有者の携帯機器５００のメールアドレス、撮像装置１００の所有者名および携帯番号を個人情報記録部１０８ｄに記録する（ステップＳ１３０）。
【０１５７】
続いて、タグ情報付加部１１０ｄは、画像ファイルを画像表示サーバ４００で表示する指定ページを設定する（ステップＳ１３１）。ステップＳ１３１の後、撮像装置１００は、ステップＳ１１５へ移行する。
【０１５８】
ステップＳ１２９において、撮像装置１００が通信先設定モードに設定されていない場合（ステップＳ１２９：Ｎｏ）において、ネットワークＮを介して他の機器からアクセスがあったとき（ステップＳ１３２：Ｙｅｓ）、撮像装置１００は、通信部１０９を介して画像ファイルを受信し（ステップＳ１３３）、受信した画像ファイルを記録部１０８に記録する（ステップＳ１３４）。ステップＳ１３４の後、撮像装置１００は、ステップＳ１１５へ移行する。
【０１５９】
ステップＳ１３２において、ネットワークＮを介して他の機器からアクセスがないとき（ステップＳ１３２：Ｎｏ）、撮像装置１００は、ステップＳ１１５へ移行する。
【０１６０】
つぎに、画像受付サーバ２００のより詳細な処理内容について説明する。図２１は、画像受付サーバ２００のより詳細な処理内容を示すフローチャートである。
【０１６１】
図２１に示すように、ネットワークＮを介して撮像装置１００から通信があった場合（ステップＳ３０１：Ｙｅｓ）において、撮像装置１００から画像ファイルを受信したとき（ステップＳ３０２：Ｙｅｓ）、画像受付サーバ制御部２０３は、受信した画像ファイルを画像データベース２０２に記録する（ステップＳ３０３）。
【０１６２】
続いて、画像ファイルのタグ情報に付加されたルート情報が管理サーバ３００経由である場合（ステップＳ３０４：Ｙｅｓ）、画像受付サーバ制御部２０３は、ネットワークＮおよび通信部２０１を介して画像データベース２０２に記録した画像ファイルを管理サーバ３００に送信する（ステップＳ３０５）。ステップＳ３０５の後、画像受付サーバ２００は、本処理を終了する。
【０１６３】
ステップＳ３０４において、画像ファイルのタグ情報に付加されたルート情報が管理サーバ３００経由でない場合（ステップＳ３０４：Ｎｏ）、画像受付サーバ制御部２０３は、ネットワークＮおよび通信部２０１を介して画像データベース２０２に記録した画像ファイルを画像表示サーバ４００に送信する（ステップＳ３０６）。ステップＳ３０６の後、画像受付サーバ２００は、本処理を終了する。
【０１６４】
ステップＳ３０２において、撮像装置１００から画像ファイルを受信していないとき（ステップＳ３０２：Ｎｏ）、画像受付サーバ制御部２０３は、ステップＳ３０１へ戻る。
【０１６５】
ステップＳ３０１において、ネットワークＮを介して撮像装置１００から通信がない場合（ステップＳ３０１：Ｎｏ）において、管理サーバ３００から通信があったとき（ステップＳ３０７：Ｙｅｓ）、画像受付サーバ制御部２０３は、画像ファイルを受信した撮像装置１００に、撮像装置１００の所有者の携帯機器５００の確認先情報が付加されていない旨のエラー情報を送信する（ステップＳ３０８）。これにより、撮像装置１００の撮影者は、画像ファイルを画像受付サーバ２００に送信した際に、タグ情報の未設定を未然に防止することができる。ステップＳ３０８の後、画像受付サーバ２００は、本処理を終了する。
【０１６６】
ステップＳ３０７において、ネットワークＮを介して撮像装置１００から通信がない場合（ステップＳ３０１：Ｎｏ）において、管理サーバ３００から通信がないとき（ステップＳ３０７：Ｎｏ）、画像受付サーバ２００は、本処理を終了する。
【０１６７】
つぎに、管理サーバ３００のより詳細な処理内容について説明する。図２２は、管理サーバ３００のより詳細な処理内容を示すフローチャートである。
【０１６８】
図２２に示すように、画像受付サーバ２００から通信があった場合（ステップＳ４０１：Ｙｅｓ）において、画像受付サーバ２００からデータを受信したとき（ステップＳ４０２：Ｙｅｓ）、管理サーバ制御部３０４は、画像受付サーバ２００から画像ファイルを受信する（ステップＳ４０３）。
【０１６９】
続いて、個人情報判定部３０４ｂは、画像受付サーバ２００から受信した画像ファイルに撮像装置１００における所有者の確認先情報があるか否かを判定する（ステップＳ４０４）。個人情報判定部３０４ｂが画像受付サーバ２００から受信した画像ファイルに確認先情報があると判定した場合（ステップＳ４０４：Ｙｅｓ）、管理サーバ３００は、画像受付サーバ２００から受信した画像ファイルを画像データベース３０３に記録する（ステップＳ４０５）。
【０１７０】
続いて、管理サーバ制御部３０４は、確認先情報に基づいて、タグ情報の一覧を携帯機器５００に送信する（ステップＳ４０６）。ステップＳ４０６の後、管理サーバ３００は、ステップＳ４０１へ戻る。
【０１７１】
ステップＳ４０４において、個人情報判定部３０４ｂが画像受付サーバ２００から受信した画像ファイルに確認先情報がないと判定した場合（ステップＳ４０４：Ｎｏ）、管理サーバ制御部３０４は、送信先に確認先情報が付加されていない旨のエラー情報を画像受付サーバ２００に送信する（ステップＳ４０７）。なお、この場合、個人情報判定部３０４ｂが画像受付サーバ２００から受信した画像ファイルの付加されたタグ情報とユーザデータベース３０２に記録されたユーザデータとが一致する情報があると判定した場合、管理サーバ制御部３０４は、ユーザデータベース３０２に記録された携帯機器５００の確認先情報を用いてタグ情報の一覧を携帯機器５００に送信してもよい。ステップＳ４０７の後、管理サーバ３００は、ステップＳ４０１へ戻る。
【０１７２】
ステップＳ４０１において、画像受付サーバ２００から通信がない場合（ステップＳ４０１：Ｎｏ）において、携帯機器５００から通信があったとき（ステップＳ４０８：Ｙｅｓ）、管理サーバ３００は、ステップＳ４０９へ移行する。
【０１７３】
続いて、携帯機器５００から選択情報を受信した場合（ステップＳ４０９：Ｙｅｓ）、管理サーバ制御部３０４は、選択情報に応じたタグ情報を選択する（ステップＳ４１０）。たとえば、管理サーバ制御部３０４は、携帯機器５００から受信した選択情報がタグ情報の生体情報または距離分布情報であった場合、画像受付サーバ２００から受信した画像ファイルのタグ情報の中から生体情報または距離分布情報を選択する。
【０１７４】
その後、電子透かし生成部３０４ｃは、選択情報に応じたタグ情報および携帯機器５００の確認先情報の電子透かし情報を生成して画像データに付加する（ステップＳ４１１）。この際、電子透かし生成部３０４ｃは、選択情報以外のタグ情報を画像ファイルから削除する。
【０１７５】
続いて、管理サーバ制御部３０４は、ネットワークＮおよび通信部３０１を介して画像表示サーバ４００に画像ファイルを送信する（ステップＳ４１２）。ステップＳ４１２の後、管理サーバ３００は、ステップＳ４０１へ戻る。
【０１７６】
ステップＳ４０９において、携帯機器５００から選択情報を受信していない場合（ステップＳ４０９：Ｎｏ）、管理サーバ３００は、携帯機器５００から選択情報を受信するまで待機する。
【０１７７】
ステップＳ４０８において、携帯機器５００から通信がないとき（ステップＳ４０８：Ｎｏ）、管理サーバ３００は、ステップＳ４１３へ移行する。
【０１７８】
続いて、携帯機器５００または外部の機器から画像を監視する指示があった場合（ステップＳ４１３：Ｙｅｓ）、管理サーバ制御部３０４は、携帯機器５００または外部の機器からサンプル画像ファイルおよびサンプル画像ファイルの顔特徴情報を取得する（ステップＳ４１４）。
【０１７９】
画像検索部３０４ｄは、サンプル画像ファイルおよび顔の特徴点情報に基づいて、ネットワークＮおよび通信部３０１を介してネットワークＮ上にアップロードされた画像を検索する（ステップＳ４１５）。
【０１８０】
サンプル画像ファイルの画像データに対応する画像または顔の特徴点情報に類似する類似画像があった場合（ステップＳ４１６：Ｙｅｓ）において、類似画像に電子透かし情報が画像データに付加され（ステップＳ４１７：Ｙｅｓ）、電子透かし情報が適切なとき（ステップＳ４１８：Ｙｅｓ）、管理サーバ３００は、ステップＳ４０１へ戻る。
【０１８１】
サンプル画像ファイルの画像データに対応する画像または顔特徴情報に類似する類似画像があった場合（ステップＳ４１６：Ｙｅｓ）において、類似画像に電子透かし情報が画像データに付加されていないとき（ステップＳ４１７：Ｎｏ）、管理サーバ制御部３０４は、ネットワークＮおよび通信部３０１を介して対象画像の削除指示信号を画像表示サーバ４００に送信する（ステップＳ４１９）、ステップＳ４１９の後、管理サーバ３００は、ステップＳ４０１へ戻る。
【０１８２】
ステップＳ４１８において、電子透かし情報が適切でないとき（ステップＳ４１８：Ｎｏ）、管理サーバ３００は、ステップＳ４１９へ移行する。
【０１８３】
ステップＳ４１３において、携帯機器５００または外部の機器から画像を監視する指示がない場合（ステップＳ４１３：Ｎｏ）において、画像表示サーバ４００から画像の購入希望信号が受信したとき（ステップＳ４２０：Ｙｅｓ）、管理サーバ３００は、後述するステップＳ４２１へ移行する。これに対して、携帯機器５００または外部の機器から画像を監視する指示がない場合（ステップＳ４１３：Ｎｏ）において、画像表示サーバ４００から画像の購入希望信号が受信していないとき（ステップＳ４２０：Ｎｏ）、管理サーバ３００は、後述するステップＳ４２２へ移行する。
【０１８４】
ステップＳ４２１において、管理サーバ制御部３０４は、購入希望信号の画像ファイルに付加されたアドレス情報に基づいて、購入希望情報を携帯機器５００に送信する（ステップＳ４２１）。これにより、携帯機器５００または撮像装置１００の所有者は、画像の購入者が現れたことを知ることができる。ステップＳ４２１の後、管理サーバ制御部３０４は、ステップＳ４０１へ戻る。
【０１８５】
ステップＳ４２２において、携帯機器５００から購入希望の画像ファイルの著作権者から画像ファイルの許諾を示す情報を受信した場合（ステップＳ４２２：Ｙｅｓ）、管理サーバ制御部３０４は、購入希望者の携帯機器６００のアドレス情報と画像ファイルの著作権者の携帯機器５００のアドレス情報とを双方向に送信する仲介処理を実行する（ステップＳ４２３）。これにより、購入希望者および画像ファイルの著作権者は、それぞれの情報を取得することができ、画像ファイルの売買等を直接的に行うことができる。ステップＳ４２３の後、管理サーバ３００は、ステップＳ４０１へ戻る。
【０１８６】
ステップＳ４２２において、携帯機器５００から購入希望の画像ファイルの著作権者から画像ファイルの許諾を示す情報を受信していない場合（ステップＳ４２２：Ｎｏ）において、ユーザ登録があったとき（ステップＳ４２４：Ｙｅｓ）、個人情報設定部３０４ａは、ユーザの個人認識情報、タグ情報、撮像装置１００の所有者情報および肖像権情報をユーザデータベース３０２に登録する登録処理を実行する（ステップＳ４２５）。ステップＳ４２５の後、管理サーバ３００は、ステップＳ４０１へ移行する。
【０１８７】
ステップＳ４２２において、携帯機器５００から購入希望の画像ファイルの著作権者から画像ファイルの許諾を示す情報を受信していない場合（ステップＳ４２２：Ｎｏ）において、ユーザ登録がないとき（ステップＳ４２４：Ｎｏ）、管理サーバ３００は、ステップＳ４０１へ移行する。
【０１８８】
つぎに、画像表示サーバ４００のより詳細な処理内容について説明する。図２３は、画像表示サーバ４００のより詳細な処理内容を示すフローチャートである。
【０１８９】
図２３に示すように、ネットワークＮを介して外部からデータを受信した場合（ステップＳ５０１：Ｙｅｓ）において、送信元が画像受付サーバ２００であるとき（ステップＳ５０２：Ｙｅｓ）、画像表示サーバ制御部４０３は、画像受付サーバ２００からの画像ファイルを受信する（ステップＳ５０３）。
【０１９０】
続いて、画像表示サーバ制御部４０３は、画像受付サーバ２００から受信した画像ファイルを指定ページに記録して画像データベース４０２に記録する（ステップＳ５０４）。ステップＳ５０４の後、画像表示サーバ４００は、ステップＳ５０１へ戻る。
【０１９１】
ステップＳ５０２において、送信元が画像受付サーバ２００でないとき（ステップＳ５０２：Ｎｏ）、画像表示サーバ４００は、ステップＳ５０５へ移行する。
【０１９２】
続いて、送信元が管理サーバ３００である場合（ステップＳ５０５：Ｙｅｓ）、画像表示サーバ４００は、後述するステップＳ５０６へ移行する。これに対して、送信元が管理サーバ３００でない場合（ステップＳ５０５：Ｎｏ）、画像表示サーバ４００は、ステップＳ５０１へ戻る。
【０１９３】
ステップＳ５０６において、画像表示サーバ制御部４０３は、管理サーバ３００から画像ファイルを受信する。
【０１９４】
続いて、著作権情報追加部４０３ａは、著作権禁止情報を画像ファイルのタグ情報に追加する（ステップＳ５０７）。
【０１９５】
その後、管理サーバ３００から受信した画像ファイルを指定ページに記録して画像データベース４０２に記録する（ステップＳ５０８）。ステップＳ５０８の後、画像表示サーバ４００は、ステップＳ５０１へ戻る。
【０１９６】
ステップＳ５０１において、ネットワークＮを介して外部からデータを受信していない場合（ステップＳ５０１：Ｎｏ）において、ブラウザにアクセスがあったとき（ステップＳ５０９：Ｙｅｓ）、画像表示サーバ４００は、後述するステップＳ５１０へ移行する。これに対して、ステップＳ５０１において、ネットワークＮを介して外部からデータを受信していない場合（ステップＳ５０１：Ｎｏ）において、ブラウザにアクセスがないとき（ステップＳ５０９：Ｎｏ）、画像表示サーバ４００は、ステップＳ５０１へ戻る。
【０１９７】
ステップＳ５１０において、携帯機器５００または携帯機器６００の場合（ステップＳ５１０：Ｙｅｓ）、表示制御部４０３ｄは、指定された指定ページを表示する（ステップＳ５１１）。この場合、表示制御部４０３ｄは、指定された指定ページに広告を付加して表示する。
【０１９８】
続いて、別ページを指示する指示信号が入力された場合（ステップＳ５１２：Ｙｅｓ）、表示制御部４０３ｄは、指示信号に応じた別ページに広告を付加して表示する（ステップＳ５１３）。
【０１９９】
その後、携帯機器５００または携帯機器６００からコメント情報を受信した場合（ステップＳ５１４：Ｙｅｓ）、画像表示サーバ制御部４０３は、コメント情報を指定ページに記載して画像データベース４０２に記録する（ステップＳ５１５）。
【０２００】
続いて、携帯機器５００または携帯機器６００のブラウザアクセスが終了した場合（ステップＳ５１６：Ｙｅｓ）、画像表示サーバ制御部４０３は、指定ページを画像データベース４０２に記録する終了処理を実行する（ステップＳ５１７）。ステップＳ５１７の後、画像表示サーバ４００は、ステップＳ５０１へ戻る。
【０２０１】
ステップＳ５１６において、携帯機器５００または携帯機器６００のブラウザアクセスが終了していない場合（ステップＳ５１６：Ｎｏ）、画像表示サーバ４００は、ステップＳ５１８へ移行する。
【０２０２】
続いて、携帯機器５００または携帯機器６００を介して画像が選択された場合（ステップＳ５１８：Ｙｅｓ）において、著作権禁止情報があるとき（ステップＳ５１９：Ｙｅｓ）、表示制御部４０３ｄは、コピー不可を示す情報を選択された画像上に重畳して表示させる（ステップＳ５２０）。具体的には、図２４に示すように、携帯機器５００のユーザがタッチパネル５０３を介して画像Ｗ１を選択した場合において、この画像Ｗ１上にコピー不可の情報を重畳して表示させる。これにより、携帯機器５００または携帯機器６００の所有者は、選択した画像が著作権で保護されていることを直感的に把握することができる。
【０２０３】
その後、携帯機器６００から画像購入の希望があった場合（ステップＳ５２１：Ｙｅｓ）、画像表示サーバ制御部４０３は、管理サーバ３００に購入希望情報を送信する（ステップＳ５２２）。ステップＳ５２２の後、画像表示サーバ４００は、ステップＳ５０１へ戻る。
【０２０４】
ステップＳ５２１において、携帯機器６００から画像購入の希望がない場合（ステップＳ５２１：Ｎｏ）、画像表示サーバ４００は、ステップＳ５０１へ戻る。
【０２０５】
ステップＳ５１８において、画像が選択された場合（ステップＳ５１８：Ｙｅｓ）において、著作権禁止情報がないとき（ステップＳ５１９：Ｎｏ）、画像表示サーバ制御部４０３は、選択された画像ファイルを携帯機器６００に送信する（ステップＳ５２３）。具体的には、図２５に示すように、携帯機器６００のユーザがタッチパネル５０３を介して画像Ｗ２を選択した場合において、この画像Ｗ２に著作権禁止情報がないとき（著作権自由）、画像Ｗ２の画像ファイルを携帯機器６００に送信する。ステップＳ５２３の後、画像表示サーバ４００は、ステップＳ５０１へ戻る。
【０２０６】
ステップＳ５１２において、別ページを指示する指示信号が入力されていない場合（ステップＳ５１２：Ｎｏ）、画像表示サーバ４００は、ステップＳ５１４へ移行する。
【０２０７】
ステップＳ５１４において、コメント情報を受信していない場合（ステップＳ５１４：Ｎｏ）、画像表示サーバ４００は、ステップＳ５１６へ移行する。
【０２０８】
ステップＳ５１０において、携帯機器５００または携帯機器６００でない場合（ステップＳ５１０：Ｎｏ）、画像表示サーバ４００は、ステップＳ５２４へ移行する。
【０２０９】
続いて、管理サーバ３００である場合（ステップＳ５２４：Ｙｅｓ）において、削除指示を受信したとき（ステップＳ５２５：Ｙｅｓ）、画像データ削除部４０３ｂは、削除指示に応じた画像を画像データベース４０２から削除する（ステップＳ５２６）。これにより、著作権を侵害する画像ファイルを削除することができる。ステップＳ５２６の後、画像表示サーバ４００は、ステップＳ５０１へ戻る。
【０２１０】
ステップＳ５２４において、管理サーバ３００でない場合（ステップＳ５２４：Ｎｏ）、画像表示サーバ４００は、ステップＳ５０１へ戻る。
【０２１１】
ステップＳ５２５において、削除指示を受信してないとき（ステップＳ５２５：Ｎｏ）、画像表示サーバ４００は、ステップＳ５０１へ戻る。
【０２１２】
以上説明した本発明の一実施の形態によれば、撮影者が意図しない画像データがサーバに投稿されることを防止することができる。
【０２１３】
また、本発明の一実施の形態によれば、撮像装置１００が送信した画像ファイルのタグ情報を削除して画像受付サーバ２００を経由して画像表示サーバ４００に送信することにより、著作権が放棄された画像ファイルを画像表示サーバ４００に送信（投稿）することができる。
【０２１４】
また、本発明の一実施の形態によれば、撮像装置１００が画像受付サーバ２００に画像ファイルを送信する際にタグ情報を削除して送信するので、画像表示サーバ４００の指定ページで他のユーザに閲覧された場合であっても、私的な情報が漏洩することを防止することができる。
【０２１５】
また、本発明の一実施の形態によれば、撮像装置１００が送信した画像ファイルのタグ情報のルート情報に応じて、画像受付サーバ２００および管理サーバ３００を経由して画像表示サーバ４００に画像ファイルを送信する。これにより、著作権を保護した状態で画像ファイルを画像表示サーバ４００に送信することができる。
【０２１６】
また、本発明の一実施の形態によれば、悪意のある撮影者、または、無意識に権利侵害した撮影者が被写体として写真やポスターを撮影して画像データを含む画像ファイルを画像表示サーバ４００に送信（投稿）する場合であっても、管理サーバ３００がタグ情報の距離分布情報を写真やポスターに写る肖像権者の携帯機器に連絡するので、肖像権者が意図しない画像データが画像表示サーバ４００に勝手に投稿されることを未然に、または、投稿発覚後すぐに防止することができる。
【０２１７】
また、本発明の一実施の形態によれば、被写体の許諾なしに撮影者が撮影した画像データを含む画像ファイルを画像表示サーバ４００に送信する場合であっても、管理サーバ３００がタグ情報の許諾ＩＤに対応する被写体の携帯機器に連絡し、被写体の許諾がなければ画像表示サーバ４００に送信することができない。この結果、被写体の肖像権が無視された状態で画像データがウェブサイト上で公開されることを防止することができる。
【０２１８】
また、本発明の一実施の形態によれば、撮像装置１００の所有者以外の撮影者、たとえば所有者のアシスタントが撮像装置１００を用いて撮影した場合であっても、撮像装置１００の所有者が個人認証情報を選択して承認することにより、画像ファイルの著作権を保護した状態で画像表示サーバ４００に画像ファイルを送信することができる。
【０２１９】
また、本発明の一実施の形態によれば、管理サーバ３００が携帯機器５００で選択された個人認証情報の電子透かしを生成し、この電子透かしを含むタグ情報の個人を認証するための個人情報を削除して画像ファイルを画像表示サーバ４００に送信するので、画像表示サーバ４００の指定ページで他のユーザに閲覧された場合であっても、私的な情報が漏洩することを防止することができる。
【０２２０】
また、本発明にかかる撮像装置は、デジタル一眼レフカメラ以外にも、たとえばアクセサリ等を装着可能なデジタルカメラ、デジタルビデオカメラおよび撮像機能を有する携帯電話やタブレット型携帯機器等の電子機器にも適用することができる。
【０２２１】
また、本発明にかかる撮像装置および管理サーバに実行させるプログラムは、インストール可能な形式又は実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０２２２】
また、本発明にかかる撮像装置および管理サーバに実行させるプログラムは、インターネット等のネットワークに接続されたコンピュータ上に格納し、ネットワーク経由でダウンロードさせることにより提供するように構成しても良い。さらに、本発明にかかる撮像装置に実行させるプログラムをインターネット等のネットワーク経由で提供または配布するように構成しても良い。
【０２２３】
また、本発明にかかる画像受付サーバ、管理サーバおよび画像表示サーバは、それぞれ個別に運用していたが、画像受付サーバ、管理サーバおよび画像表示サーバを一つのサーバで運用するようにしてもよい。
【０２２４】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０２２５】
このように、本発明は、ここでは記載していない様々な実施の形態を含みうるものであり、特許請求の範囲によって特定される技術的思想の範囲内で種々の設計変更等を行うことが可能である。
【符号の説明】
【０２２６】
１  画像通信システム
１００  撮像装置
１０１  撮像部
１０１ａ  光学系
１０１ｂ  撮像素子
１０１ｃ  信号処理部
１０２  位置取得部
１０３  入力部
１０３ａ  電源スイッチ
１０３ｄ  モード切替スイッチ
１０３ｂ  レリーズスイッチ
１０３ｃ  操作スイッチ
１０４，５０２  表示部
１０５，５０３  タッチパネル
１０６  時計
１０７  生体情報検出部
１０８，５０５  記録部
１０８ａ  プログラム記録部
１０８ｂ  画像データ記録部
１０８ｃ  接続先情報記録部
１０８ｄ  個人情報記録部
１０９，２０１，３０１，４０１，５０１  通信部
１１０  制御部
１１０ａ  画像処理部
１１０ｂ  顔検出部
１１０ｃ  距離分布検出部
１１０ｄ  タグ情報付加部
１１０ｅ  タグ情報削除部
１１０ｆ  表示制御部
１１０ｇ  候補化判定部
１１０ｈ  撮影条件タグ情報決定部
１１０ｉ  通信決定部
２００  画像受付サーバ
２０２，３０３，４０２  画像データベース
２０３  画像受付サーバ制御部
２０３ａ  転送先設定部
３００  管理サーバ
３０２  ユーザデータベース
３０３ａ  受信画像データ記録部
３０３ｂ  送信画像データ記録部
３０４  管理サーバ制御部
３０４ａ  個人情報設定部
３０４ｂ  個人情報判定部
３０４ｃ  電子透かし生成部
３０４ｄ  画像検索部
３０４ｅ  タグ情報削除部
４００  画像表示サーバ
４０３  画像表示サーバ制御部
４０３ａ  著作権情報追加部
４０３ｂ  画像データ削除部
４０３ｃ  アクセス判定部
４０３ｄ  表示制御部
５００，６００  携帯機器
５０４  操作部
５０６  携帯機器制御部
【図１】
2014158117.tif 000003
【図２】
2014158117.tif 000004
【図３】
2014158117.tif 000005
【図４】
2014158117.tif 000006
【図５】
2014158117.tif 000007
【図６】
2014158117.tif 000008
【図７】
2014158117.tif 000009
【図８】
2014158117.tif 000010
【図９】
2014158117.tif 000011
【図１０】
2014158117.tif 000012
【図１１】
2014158117.tif 000013
【図１２】
2014158117.tif 000014
【図１３】
2014158117.tif 000015
【図１４】
2014158117.tif 000016
【図１５】
2014158117.tif 000017
【図１６】
2014158117.tif 000018
【図１７】
2014158117.tif 000019
【図１８】
2014158117.tif 000020
【図１９】
2014158117.tif 000021
【図２０】
2014158117.tif 000022
【図２１】
2014158117.tif 000023
【図２２】
2014158117.tif 000024
【図２３】
2014158117.tif 000025
【図２４】
2014158117.tif 000026
【図２５】
2014158117.tif 000027